(57)【要約】  本発明の実施様態は、スペクトルが完全に使用されることができないという問題を解決するために、信号伝送装置および信号伝送方法、ならびにワイヤレスアクセスノードを開示し、通信技術の分野に関する。本開示の方法は、ワイヤレスアクセスノードによって構成情報を取得することであって、構成情報は第１のキャリアのカバレージ空間内で第２のキャリアの信号を伝送するためにワイヤレスアクセスノードによって使用され、第１のキャリアによって占有されるスペクトルおよび第２のキャリアによって占有されるスペクトルは重複し、第１のキャリアのサブキャリアおよび第２のキャリアのサブキャリアは直交する、ワイヤレスアクセスノードによって構成情報に従って第２のキャリアの信号を伝送することとを含む。本発明は、キャリアの信号が別のキャリアのカバレージ空間内で伝送されるシナリオに適用可能である。
2017536769.tif 000002
【特許請求の範囲】
【請求項１】
構成情報を取得するように構成された取得モジュールであって、前記構成情報は第１のキャリアのカバレージ空間内で第２のキャリアの信号を伝送するために使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交する、取得モジュールと、
前記構成情報に従って前記第２のキャリアの前記信号を伝送するように構成された伝送モジュールと
を備えることを特徴とする信号伝送装置。
【請求項２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項１に記載の装置。
【請求項３】
前記第１のキャリアおよび前記第２のキャリアは同じ通信規格または異なる通信規格に属することを特徴とする請求項１または２に記載の装置。
【請求項４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項１乃至３のいずれか一項に記載の装置。
【請求項５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項１乃至４のいずれか一項に記載の装置。
【請求項６】
前記重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項１乃至４のいずれか一項に記載の装置。
【請求項７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項１に記載の装置。
【請求項８】
前記第２のキャリアの前記基本チャネルが共通パイロットチャネルであるとき、前記装置は、
前記第２のキャリアと前記第１のキャリアとの間の重複しないスペクトル上の前記第２のキャリアを使用することにより、復調基準信号を送信するように構成された送信モジュールであって、前記復調基準信号は前記第２のキャリアの前記重複しないスペクトルのデータ復調に使用される、送信モジュール
をさらに備えることを特徴とする請求項６に記載の装置。
【請求項９】
前記第１のキャリアの前記基本チャネルおよび前記第２のキャリアの前記基本チャネルが物理ダウンリンク制御チャネルであるとき、前記装置は、
クロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理制御チャネルのダウンリンク制御情報を送信するように構成された第１のスケジューリングモジュール
をさらに備えることを特徴とする請求項６に記載の装置。
【請求項１０】
クロスキャリアスケジューリング技術を使用することにより、第３のキャリアの物理ダウンリンク制御チャネル上で、前記第１のキャリアまたは前記第２のキャリアのダウンリンク制御情報を伝送するように構成された第２のスケジューリングモジュール
をさらに備え、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項１に記載の装置。
【請求項１１】
ワイヤレスアクセスノードであって、前記ワイヤレスアクセスノードは少なくともネットワークインターフェースおよびプロセッサを備え、
前記ネットワークインターフェースは構成情報を取得するように構成され、前記構成情報は第１のキャリアのカバレージ空間内で第２のキャリアの信号を伝送するために前記ワイヤレスアクセスノードによって使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交し、
前記プロセッサは、前記構成情報に従って前記第２のキャリアの前記信号を伝送するように構成される
ことを特徴とするワイヤレスアクセスノード。
【請求項１２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項１１に記載のワイヤレスアクセスノード。
【請求項１３】
前記第１のキャリアおよび前記第２のキャリアは同じ通信規格または異なる通信規格に属することを特徴とする請求項１１または１２に記載のワイヤレスアクセスノード。
【請求項１４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項１１乃至１３のいずれか一項に記載のワイヤレスアクセスノード。
【請求項１５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項１１乃至１４のいずれか一項に記載のワイヤレスアクセスノード。
【請求項１６】
前記重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項１１乃至１４のいずれか一項に記載のワイヤレスアクセスノード。
【請求項１７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項１１に記載のワイヤレスアクセスノード。
【請求項１８】
前記第２のキャリアの前記第２の基本チャネルが共通パイロットチャネルであるとき、前記プロセッサは、前記第２のキャリアと前記第１のキャリアとの間の重複しないスペクトル上の前記第２のキャリアを使用することにより、復調基準信号を送信するように構成され、前記復調基準信号は前記第２のキャリアの前記重複しないスペクトルのデータ復調に使用されることを特徴とする請求項１６に記載のワイヤレスアクセスノード。
【請求項１９】
前記第１のキャリアの前記基本チャネルおよび前記第２のキャリアの前記基本チャネルが物理ダウンリンク制御チャネルであるとき、前記プロセッサは、クロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理制御チャネルのダウンリンク制御情報を送信するように構成されることを特徴とする請求項１６に記載のワイヤレスアクセスノード。
【請求項２０】
前記プロセッサは、クロスキャリアスケジューリング技術を使用することにより、第３のキャリアの物理ダウンリンク制御チャネル上で、前記第１のキャリアまたは前記第２のキャリアのダウンリンク制御情報を伝送するように構成され、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項１１に記載のワイヤレスアクセスノード。
【請求項２１】
ワイヤレスアクセスノードによって構成情報を取得することであって、前記構成情報は第１のキャリアのカバレージ空間内で第２のキャリアの信号を伝送するために前記ワイヤレスアクセスノードによって使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交する、前記構成情報を取得することと、
前記ワイヤレスアクセスノードによって前記構成情報に従って前記第２のキャリアの前記信号を伝送することと
を含むことを特徴とする信号伝送方法。
【請求項２２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項２１に記載の方法。
【請求項２３】
前記第１のキャリアおよび前記第２のキャリアは同じ通信規格または異なる通信規格に属することを特徴とする請求項２１または２２に記載の方法。
【請求項２４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項２１乃至２３のいずれか一項に記載の方法。
【請求項２５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項２１乃至２４のいずれか一項に記載の方法。
【請求項２６】
前記重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項２１乃至２４のいずれか一項に記載の方法。
【請求項２７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項２１に記載の方法。
【請求項２８】
前記第２のキャリアの前記基本チャネルが共通パイロットチャネルであるとき、前記方法は、
前記ワイヤレスアクセスノードによって前記第２のキャリアと前記第１のキャリアとの間の重複しないスペクトル上の前記第２のキャリアを使用することにより、復調基準信号を送信することであって、前記復調基準信号は前記第２のキャリアの前記重複しないスペクトルのデータ復調に使用されること、をさらに含むことを特徴とする請求項２６に記載の方法。
【請求項２９】
前記第１のキャリアの前記基本チャネルおよび前記第２のキャリアの前記基本チャネルが物理ダウンリンク制御チャネルであるとき、前記方法は、
前記ワイヤレスアクセスノードによってクロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理制御チャネルのダウンリンク制御情報を送信すること
をさらに含むことを特徴とする請求項２６に記載の方法。
【請求項３０】
前記ワイヤレスアクセスノードによってクロスキャリアスケジューリング技術を使用することにより、第３のキャリアの物理ダウンリンク制御チャネル上で、前記第１のキャリアまたは前記第２のキャリアのダウンリンク制御情報を伝送すること
をさらに含み、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項２１に記載の方法。
【発明の詳細な説明】
【技術分野】
【０００１】
本発明は、通信技術の分野に関し、詳細には、信号伝送装置および信号伝送方法、ならびにワイヤレスアクセスノードに関する。
【背景技術】
【０００２】
一般に、複数のキャリアは、スペクトルリソースを完全に使用するようにスペクトル上で構成される。図１ａに示されたように、複数のキャリアは、スペクトルＡ上で連続的に構成される。しかしながら、複数のキャリアによって必要とされる総帯域幅がスペクトルの帯域幅よりも大きいとき、そのような数のキャリアはスペクトル上で構成されることができない。図１ｂに示されるように、キャリア１、キャリア２、およびキャリア３によって必要とされる総帯域幅は、スペクトルＢの帯域幅を超えている。この問題を解決するために、低減された数の複数のキャリアによって必要とされる総帯域幅がスペクトルの固定帯域幅よりも大きくないように、キャリアの数は通常低減される。図１ｃに示されるように、キャリア３はスペクトルＢ上でもはや構成されない。しかしながら、この方式では、周波数帯域の一部が使用されず、その結果、スペクトルＢは完全に使用されることができず、それによってスペクトルリソース浪費を引き起こしている。
【発明の概要】
【０００３】
本発明の実施形態は、信号伝送装置および信号伝送方法、ならびにワイヤレスアクセスノードを開示して、スペクトルが完全に使用されることができないという問題を解決する。
【０００４】
上記の目的を達成するために、本発明の実施形態において以下の技術的解決策が使用されている。
【０００５】
第１の態様によれば、本発明の実施形態は、
構成情報を取得するように構成された取得モジュールであって、構成情報は第１のキャリアのカバレージ空間内で第２のキャリアの信号を伝送するために使用され、第１のキャリアによって占有されるスペクトルおよび第２のキャリアによって占有されるスペクトルは重複し、第１のキャリアのサブキャリアおよび第２のキャリアのサブキャリアは直交する、取得モジュールと、
構成情報に従って第２のキャリアの信号を伝送するように構成された伝送モジュールと
を含む信号伝送装置を提供する。
第１の態様を参照して、第１の可能な実装方式では、第１のキャリアによって占有されるスペクトルおよび第２のキャリアによって占有されるスペクトルが重複することは、
第１のキャリアによって占有されるスペクトルおよび第２のキャリアによって占有されるスペクトルが部分的に重複すること、完全に重複すること、または埋め込まれるように重複すること
を含む。
【０００６】
第１の態様または第１の態様の第１の可能な実装方式を参照して、第２の可能な実装方式では、第１のキャリアおよび第２のキャリアは同じ通信規格または異なる通信規格に属する。
【０００７】
第１の態様、第１の態様の第１の可能な実装方式または第２の可能な実装方式を参照して、第３の可能な実装方式では、第１のキャリアおよび第２のキャリアは２つの独立したセルであるか、または
第１のキャリアは１次キャリアであり、第２のキャリアは第１のキャリアに対応する２次キャリアである。
【０００８】
第１の態様、または第１の態様の第１の可能な実装方式から第３の可能な実装方式のうちの任意の１つを参照して、第４の可能な実装方式では、第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施され、時分割多重化または周波数分割多重化は、時間単位または周波数単位内の第１のキャリアまたは第２のキャリアに対応し、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。
【０００９】
第１の態様、または第１の態様の第１の可能な実装方式から第３の可能な実装方式のうちの任意の１つを参照して、第５の可能な実装方式では、重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺され、重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減され、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含み、第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【００１０】
第１の態様を参照して、第６の可能な実装方式では、第１のキャリアによって占有されるスペクトルおよび第２のキャリアによって占有されるスペクトルが重複することは、
第１のキャリアによって占有されるスペクトルの保護帯域および第２のキャリアによって占有されるスペクトルの保護帯域が重複すること、または第１のキャリアによって占有されるスペクトルの保護帯域および第２のキャリアの基本チャネルが重複すること、または第２のキャリアによって占有されるスペクトルの保護帯域および第１のキャリアの基本チャネルが重複すること
を含む。
【００１１】
第１の態様の第５の可能な実装方式を参照して、第７の可能な実装方式では、第２のキャリアの第２の基本チャネルが共通パイロットチャネルであるとき、装置は、
第２のキャリアと第１のキャリアとの間の重複しないスペクトル上の第２のキャリアを使用することにより、復調基準信号を送信するように構成された送信モジュールであって、復調基準信号は第２のキャリアの重複しないスペクトルのデータ復調に使用される、送信モジュール
をさらに含む。
【００１２】
第１の態様の第５の可能な実装方式を参照して、第８の可能な実装方式では、第１のキャリアの基本チャネルおよび第２のキャリアの基本チャネルが物理ダウンリンク制御チャネルであるとき、装置は、
クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信するように構成された第１のスケジューリングモジュール
をさらに含む。
【００１３】
第１の態様を参照して、第９の可能な実装方式では、装置は、
クロスキャリアスケジューリング技術を使用することにより、第３のキャリアの物理ダウンリンク制御チャネル上で、第１のキャリアまたは第２のキャリアのダウンリンク制御情報を伝送するように構成された第２のスケジューリングモジュール
をさらに含み、
第３のキャリアおよび第１のキャリアは重複せず、第３のキャリアおよび第２のキャリアは重複せず、第３のキャリアは１次キャリアであり、第１のキャリアと第２のキャリアの両方は第３のキャリアに対応する２次キャリアであるか、または第３のキャリアは１次キャリアであり、第１のキャリアは１次キャリアであり、第２のキャリアは第３のキャリアに対応する２次キャリアである。
【００１４】
第２の態様によれば、本発明の実施形態はワイヤレスアクセスノードを提供し、ワイヤレスアクセスノードは少なくともネットワークインターフェースおよびプロセッサを含み、
ネットワークインターフェースは構成情報を取得するように構成され、構成情報は第１のキャリアのカバレージ空間内で第２のキャリアの信号を伝送するためにワイヤレスアクセスノードによって使用され、第１のキャリアによって占有されるスペクトルおよび第２のキャリアによって占有されるスペクトルは重複し、第１のキャリアのサブキャリアおよび第２のキャリアのサブキャリアは直交し、
プロセッサは、構成情報に従って第２のキャリアの信号を伝送するように構成される。
【００１５】
第２の態様を参照して、第１の可能な実装方式では、第１のキャリアによって占有されるスペクトルおよび第２のキャリアによって占有されるスペクトルが重複することは、
第１のキャリアによって占有されるスペクトルおよび第２のキャリアによって占有されるスペクトルが部分的に重複すること、完全に重複すること、または埋め込まれるように重複すること
を含む。
【００１６】
第２の態様または第２の態様の第１の可能な実装方式を参照して、第２の可能な実装方式では、第１のキャリアおよび第２のキャリアは同じ通信規格または異なる通信規格に属する。
【００１７】
第２の態様、第２の態様の第１の可能な実装方式または第２の可能な実装方式を参照して、第３の可能な実装方式では、第１のキャリアおよび第２のキャリアは２つの独立したセルであるか、または
第１のキャリアは１次キャリアであり、第２のキャリアは第１のキャリアに対応する２次キャリアである。
【００１８】
第２の態様、または第２の態様の第１の可能な実装方式から第３の可能な実装方式のうちの任意の１つを参照して、第４の可能な実装方式では、第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施され、時分割多重化または周波数分割多重化は、時間単位または周波数単位内の第１のキャリアまたは第２のキャリアに対応し、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。
【００１９】
第２の態様、または第２の態様の第１の可能な実装方式から第３の可能な実装方式のうちの任意の１つを参照して、第５の可能な実装方式では、重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺され、重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減され、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含み、第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【００２０】
第２の態様を参照して、第６の可能な実装方式では、第１のキャリアによって占有されるスペクトルおよび第２のキャリアによって占有されるスペクトルが重複することは、
第１のキャリアによって占有されるスペクトルの保護帯域および第２のキャリアによって占有されるスペクトルの保護帯域が重複すること、または第１のキャリアによって占有されるスペクトルの保護帯域および第２のキャリアの基本チャネルが重複すること、または第２のキャリアによって占有されるスペクトルの保護帯域および第１のキャリアの基本チャネルが重複すること
を含む。
【００２１】
第２の態様の第５の可能な実装方式を参照して、第７の可能な実装方式では、第２のキャリアの第２の基本チャネルが共通パイロットチャネルであるとき、プロセッサは、第２のキャリアと第１のキャリアとの間の重複しないスペクトル上の第２のキャリアを使用することにより、復調基準信号を送信するように構成され、復調基準信号は第２のキャリアの重複しないスペクトルのデータ復調に使用される。
【００２２】
第２の態様の第５の可能な実装方式を参照して、第８の可能な実装方式では、第１のキャリアの基本チャネルおよび第２のキャリアの基本チャネルが物理ダウンリンク制御チャネルであるとき、プロセッサは、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信するように構成される。
【００２３】
第２の態様を参照して、第９の可能な実装方式では、プロセッサは、クロスキャリアスケジューリング技術を使用することにより、第３のキャリアの物理ダウンリンク制御チャネル上で、第１のキャリアまたは第２のキャリアのダウンリンク制御情報を伝送するように構成され、
第３のキャリアおよび第１のキャリアは重複せず、第３のキャリアおよび第２のキャリアは重複せず、第３のキャリアは１次キャリアであり、第１のキャリアと第２のキャリアの両方は第３のキャリアに対応する２次キャリアであるか、または第３のキャリアは１次キャリアであり、第１のキャリアは１次キャリアであり、第２のキャリアは第３のキャリアに対応する２次キャリアである。
【００２４】
第３の態様によれば、本発明の実施形態は、
ワイヤレスアクセスノードによって構成情報を取得することであって、構成情報は第１のキャリアのカバレージ空間内で第２のキャリアの信号を伝送するためにワイヤレスアクセスノードによって使用され、第１のキャリアによって占有されるスペクトルおよび第２のキャリアによって占有されるスペクトルは重複し、第１のキャリアのサブキャリアおよび第２のキャリアのサブキャリアは直交する、取得することと、
ワイヤレスアクセスノードによって構成情報に従って第２のキャリアの信号を伝送することと
を含む信号伝送方法を提供する。
【００２５】
第３の態様を参照して、第１の可能な実装方式では、第１のキャリアによって占有されるスペクトルおよび第２のキャリアによって占有されるスペクトルが重複することは、
第１のキャリアによって占有されるスペクトルおよび第２のキャリアによって占有されるスペクトルが部分的に重複すること、完全に重複すること、または埋め込まれるように重複すること
を含む。
【００２６】
第３の態様または第３の態様の第１の可能な実装方式を参照して、第２の可能な実装方式では、第１のキャリアおよび第２のキャリアは同じ通信規格または異なる通信規格に属する。
【００２７】
第３の態様、第３の態様の第１の可能な実装方式または第２の可能な実装方式を参照して、第３の可能な実装方式では、第１のキャリアおよび第２のキャリアは２つの独立したセルであるか、または
第１のキャリアは１次キャリアであり、第２のキャリアは第１のキャリアに対応する２次キャリアである。
【００２８】
第３の態様、または第３の態様の第１の可能な実装方式から第３の可能な実装方式のうちの任意の１つを参照して、第４の可能な実装方式では、第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施され、時分割多重化または周波数分割多重化は、時間単位または周波数単位内の第１のキャリアまたは第２のキャリアに対応し、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。
【００２９】
第３の態様、または第３の態様の第１の可能な実装方式から第３の可能な実装方式のうちの任意の１つを参照して、第５の可能な実装方式では、重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺され、重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減され、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含み、第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【００３０】
第３の態様を参照して、第６の可能な実装方式では、第１のキャリアによって占有されるスペクトルおよび第２のキャリアによって占有されるスペクトルが重複することは、
第１のキャリアによって占有されるスペクトルの保護帯域および第２のキャリアによって占有されるスペクトルの保護帯域が重複すること、または第１のキャリアによって占有されるスペクトルの保護帯域および第２のキャリアの基本チャネルが重複すること、または第２のキャリアによって占有されるスペクトルの保護帯域および第１のキャリアの基本チャネルが重複すること
を含む。
【００３１】
第３の態様の第５の可能な実装方式を参照して、第７の可能な実装方式では、第２のキャリアの第２の基本チャネルが共通パイロットチャネルであるとき、方法は、
ワイヤレスアクセスノードによって第２のキャリアと第１のキャリアとの間の重複しないスペクトル上の第２のキャリアを使用することにより、復調基準信号を送信することであって、復調基準信号は第２のキャリアの重複しないスペクトルのデータ復調に使用される、送信すること
をさらに含む。
【００３２】
第３の態様の第５の可能な実装方式を参照して、第８の可能な実装方式では、第１のキャリアの基本チャネルおよび第２のキャリアの基本チャネルが物理ダウンリンク制御チャネルであるとき、方法は、
ワイヤレスアクセスノードによってクロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信すること
をさらに含む。
【００３３】
第３の態様を参照して、第９の可能な実装方式では、方法は、
ワイヤレスアクセスノードによってクロスキャリアスケジューリング技術を使用することにより、第３のキャリアの物理ダウンリンク制御チャネル上で、第１のキャリアまたは第２のキャリアのダウンリンク制御情報を伝送すること
をさらに含み、
第３のキャリアおよび第１のキャリアは重複せず、第３のキャリアおよび第２のキャリアは重複せず、第３のキャリアは１次キャリアであり、第１のキャリアと第２のキャリアの両方は第３のキャリアに対応する２次キャリアであるか、または第３のキャリアは１次キャリアであり、第１のキャリアは１次キャリアであり、第２のキャリアは第３のキャリアに対応する２次キャリアである。
【００３４】
本発明の実施形態において提供される信号伝送装置および信号伝送方法、ならびにワイヤレスアクセスノードによれば、構成情報が取得されることができ、構成情報に従って第２のキャリアの信号が伝送される。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。
【図面の簡単な説明】
【００３５】
本発明の実施形態における技術的解決策をより明確に記載するために、以下で、実施形態を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出してよい。
【図１ａ】従来技術による、キャリア構成の例示的な概略図である。
【図１ｂ】従来技術による、キャリア構成の例示的な概略図である。
【図１ｃ】従来技術による、キャリア構成の例示的な概略図である。
【図２】本発明の実施形態による、信号伝送装置の概略構成図である。
【図３】本発明の実施形態による、別の信号伝送装置の概略構成図である。
【図４】本発明の実施形態による、さらに別の信号伝送装置の概略構成図である。
【図５】本発明の実施形態による、ワイヤレスアクセスノードの概略構成図である。
【図６】本発明の実施形態による、信号伝送方法のフローチャートである。
【図６ａ】本発明の実施形態による、直交する２つのキャリアのサブキャリアの例示的な概略図である。
【図６ｂ】本発明の実施形態による、２つのキャリアが重複する例の例示的な概略図である。
【図６ｃ】本発明の実施形態による、２つのキャリアが重複する例の例示的な概略図である。
【図６ｄ】本発明の実施形態による、２つのキャリアが重複する例の例示的な概略図である。
【図７ａ】本発明の実施形態による、保護帯域を有するキャリアの例の例示的な概略図である。
【図７ｂ】本発明の実施形態による、保護帯域を有する２つのキャリアが重複する例の例示的な概略図である。
【図７ｃ】本発明の実施形態による、保護帯域を有する２つのキャリアが重複する例の例示的な概略図である。
【図７ｅ】本発明の実施形態による、保護帯域を有する２つのキャリアの間の重複エリアの例示的な概略図である。
【図７ｆ】従来技術において、スペクトル上の保護帯域を有する２つのキャリアを構成する例示的な概略図である。
【図８ａ】本発明の実施形態による、重複するスペクトル上で周波数分割多重化が実施される例の例示的な概略図である。
【図８ｂ】本発明の実施形態による、重複するスペクトル上で周波数分割多重化が実施される例の例示的な概略図である。
【図８ｃ】本発明の実施形態による、重複するスペクトル上で周波数分割多重化を実施し、かつ、共通チャネルに対応する例の例示的な概略図である。
【図８ｄ】本発明の実施形態による、重複するスペクトル上で周波数分割多重化を実施し、かつ、セル固有基準信号に対応する例の例示的な概略図である。
【図８ｅ】本発明の実施形態による、重複するスペクトル上で周波数分割多重化を実施し、かつ、物理ダウンリンク制御チャネルに対応する例の例示的な概略図である。
【図８ｆ】本発明の実施形態による、２つのキャリアが物理ダウンリンク制御チャネルを送信する例の例示的な概略図である。
【図８ｇ】本発明の実施形態による、２つのキャリアが物理ダウンリンク制御チャネルを送信する例の例示的な概略図である。
【図８ｈ】本発明の実施形態による、重複するスペクトル上で周波数分割多重化を実施することについてであり、物理ダウンリンク共有チャネルに対応する例の例示的な概略図である。
【図８ｉ】本発明の実施形態による、重複するスペクトル上で周波数分割多重化を実施することについてであり、アップチャネルに対応する例の例示的な概略図である。
【図９ａ】本発明の実施形態による、第１の基本チャネルと第２の基本チャネルとの間の重複部分の例示的な概略図である。
【図９ｂ】本発明の実施形態による、第１の基本チャネルと第２の基本チャネルとの間の重複部分の例示的な概略図である。
【図９ｃ】本発明の実施形態による、第１の基本チャネルと第２の基本チャネルとの間の重複部分の例示的な概略図である。
【図１０】本発明の実施形態による、別の信号伝送方法のフローチャートである。
【図１１】本発明の実施形態による、さらに別の信号伝送方法のフローチャートである。
【図１１ａ】本発明の実施形態による、第１のキャリア、第２のキャリア、および第３のキャリアの間の関係の例示的な概略図である。
【図１１ｂ】本発明の実施形態による、１次キャリアおよび２次キャリアを構成することについての例の例示的な概略図である。
【図１１ｃ】本発明の実施形態による、１次キャリアおよび２次キャリアを構成することについての例の例示的な概略図である。
【図１２ａ】従来技術において、異なる通信規格における通信システム内のキャリアが共有スペクトルを占有する例の例示的な概略図である。
【図１２ｂ】本発明の実施形態による、異なる通信規格における通信システム内のキャリアが共有スペクトルを占有する例の例示的な概略図である。
【図１２ｃ】本発明の実施形態による、異なる通信規格における通信システム内のキャリアが共有スペクトルを占有する別の例の例示的な概略図である。
【発明を実施するための形態】
【００３６】
以下で、本発明の実施形態における添付図面を参照して、本発明の実施形態における技術的解決策を明確かつ完全に記載する。明らかに、記載される実施形態は、本発明の実施形態のうちのいくつかにすぎず、すべてではない。創造的な努力なしに、本発明の実施形態に基づいて当業者によって取得されるすべての他の実施形態は、本発明の保護範囲内に入るべきである。
【００３７】
本明細書内の「第１」、「第２」などの記載は、異なるキャリア、モジュールなどの間を区別するために使用され、順番を示さず、「第１」および「第２」が異なるタイプであることも限定せず、「第１」および「第２」を含むシナリオのみに適用可能ではないことに留意されたい。「第３」、「第４」などがさらに存在することがある。本明細書内の「とき」は、条件および状態が満たされることを表し、「場合」、「条件が満たされた後」、または「続くことを決定する」などの意味を含む。
【００３８】
本発明の実施形態において提供される技術的解決策は、複数のキャリアの総帯域幅がスペクトルの帯域幅よりも大きいシナリオ内で適用されてよい。本発明の実施形態におけるキャリアは、様々な通信システムにおいて定義されたキャリアであり得る。通信規格によれば、様々な通信システムには、ロングタームエボリューション（ＬＴＥ、Ｌｏｎｇ  Ｔｅｒｍ  Ｅｖｏｌｕｔｉｏｎ）システム、モバイル通信用グローバルシステム（ＧＳＭ（登録商標）、Ｇｌｏｂａｌ  Ｓｙｓｔｅｍ  ｆｏｒ  Ｍｏｂｉｌｅ  ｃｏｍｍｕｎｉｃａｔｉｏｎ）、ユニバーサルモバイルテレコミュニケーションシステム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ワイヤレスフィデリティ（ｗｉｒｅｌｅｓｓ  ｆｉｄｅｌｉｔｙ、ＷｉＦｉ）技術を使用するワイヤレスローカルエリアネットワーク（ｗｉｒｅｌｅｓｓ  ｌｏｃａｌ  ｎｅｔｗｏｒｋ、ＷＬＡＮ）システムなどが含まれる。本発明の実施形態におけるスペクトルは、通信規格における通信システム専用のスペクトルであり得るか、または異なる通信規格における通信システムによって共有されるスペクトルであり得る。
【００３９】
本発明の実施形態は、信号伝送装置１００を提供する。図２に示されたように、信号伝送装置１００は、取得モジュール１０１および伝送モジュール１０２を含む。
【００４０】
取得モジュール１０１は、構成情報を取得するように構成される。
【００４１】
構成情報は、第１のキャリアのカバレージ空間内で第２のキャリアの信号を伝送するために使用される。
【００４２】
第１のキャリアによって占有されるスペクトルおよび第２のキャリアによって占有されるスペクトルは重複し、第１のキャリアのサブキャリアおよび第２のキャリアのサブキャリアは直交する。
【００４３】
伝送モジュール１０２は、構成情報に従って第２のキャリアの信号を伝送するように構成される。
【００４４】
本発明のこの実施形態において提供された信号伝送装置は、構成情報を取得し、構成情報に従って第２のキャリアの信号を伝送することができる。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。
【００４５】
さらに、第１のキャリアによって占有されるスペクトルおよび第２のキャリアによって占有されるスペクトルは、部分的に重複しているか、完全に重複しているか、または埋め込まれるように重複している。
【００４６】
さらに、第１のキャリアによって占有されるスペクトルの保護帯域および第２のキャリアによって占有されるスペクトルの保護帯域が重複するか、または第１のキャリアによって占有されるスペクトルの保護帯域および第２のキャリアの基本チャネルが重複するか、または第２のキャリアによって占有されるスペクトルの保護帯域および第１のキャリアの基本チャネルが重複する。
【００４７】
第１のキャリアおよび第２のキャリアは、同じ通信規格または異なる通信規格に属する。
【００４８】
任意選択で、第１のキャリアおよび第２のキャリアは２つの独立したセルであるか、または第１のキャリアは１次キャリアであり、第２のキャリアは第１のキャリアに対応する２次キャリアである。
【００４９】
第１のキャリアまたは第２のキャリアが属する通信規格は限定されず、第１のキャリアと第２のキャリアとの間の対応関係は限定されない。
【００５０】
第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施され、時分割多重化または周波数分割多重化は、時間単位または周波数単位内の第１のキャリアまたは第２のキャリアに対応し、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含むことに留意されたい。
【００５１】
２つのキャリアの基本チャネル間の干渉は、重複するスペクトル上で、第２のキャリアの基本チャネルと第１のキャリアの基本チャネルとの間で時分割多重化または周波数分割多重化を実施することによって除去される。
【００５２】
重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺される。重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減される。第２のキャリアの基本チャネルおよび第１のキャリアの基本チャネルは、共通信号チャネル、共通制御チャネル、専用制御チャネル、共有チャネル、およびランダムアクセスチャネルのうちの少なくとも１つを含む。第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【００５３】
重複するスペクトル上で、第１のキャリアの基本チャネルと第２のキャリアの基本チャネルとの間で時分割多重化または周波数分割多重化が実施されることができないとき、２つのキャリアの基本チャネル間の相互干渉は、２つのキャリアの異なるタイプの基本チャネルを重複させ、重複するスペクトル上のキャリアのうちの１つの基本チャネルの伝送電力が低減されるように制御することによって除去される。
【００５４】
任意選択で、第２のキャリアの第２の基本チャネルが共通パイロットチャネルであるとき、図３に示されたように、装置１００は、
第２のキャリアと第１のキャリアとの間の重複しないスペクトル上の第２のキャリアを使用することにより、復調基準信号を送信するように構成された送信モジュール１０３
をさらに含む。
【００５５】
復調基準信号は、第２のキャリアの重複しないスペクトルのデータ復調に使用される。
【００５６】
本発明のこの実施形態において提供された信号伝送装置は、構成情報を取得し、構成情報に従って第２のキャリアの信号を伝送することができる。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。加えて、１または複数の基本チャネルの電力が低減されるので、別の基本チャネルの復調性能は著しく低下する。別の基本チャネルの復調性能を保証する目的で、第２のキャリアと第１のキャリアとの間の重複しないスペクトル上の第２のキャリアを使用することにより、復調基準信号が送信される。したがって、別の基本チャネルの復調性能は改善される。
【００５７】
任意選択で、第１のキャリアの基本チャネルおよび第２のキャリアの基本チャネルが物理ダウンリンク制御チャネルであるとき、図４に示されたように、装置１００は、
クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信するように構成された第１のスケジューリングモジュール１０４と、
クロスキャリアスケジューリング技術を使用することにより、第３のキャリアの物理ダウンリンク制御チャネル上で、第１のキャリアまたは第２のキャリアのダウンリンク制御情報を伝送するように構成された第２のスケジューリングモジュール１０５と
をさらに含む。
【００５８】
第３のキャリアおよび第１のキャリアは重複せず、第３のキャリアおよび第２のキャリアは重複しない。第３のキャリアは１次キャリアであり、第１のキャリアと第２のキャリアの両方は第３のキャリアに対応する２次キャリアであるか、または第３のキャリアは１次キャリアであり、第１のキャリアは１次キャリアであり、第２のキャリアは第３のキャリアに対応する２次キャリアである。
【００５９】
本発明のこの実施形態において提供された信号伝送装置は、構成情報を取得し、構成情報に従って第２のキャリアの信号を伝送することができる。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。加えて、キャリアのダウンリンク制御情報は、クロスキャリアスケジューリング技術を使用することにより、別のキャリアのダウンリンク制御チャネル上で送信されることができ、それによって、キャリアのダウンリンク制御チャネルの低減された伝送電力によって引き起こされる、ダウンリンク制御情報が送信されることができない状況を回避する。
【００６０】
本発明の実施形態は、ワイヤレスアクセスノード２００をさらに含む。図５に示されたように、ワイヤレスアクセスノード２００は、少なくとも１つのプロセッサ２０１、たとえばＣＰＵ、少なくとも１つのネットワークインターフェース２０２または別のユーザインターフェース２０３、メモリ２０４、および少なくとも１つの通信バス２０５を含む。通信バス２０５は、構成要素間の接続および通信を実装するように構成される。任意選択で、ワイヤレスアクセスノード２００は、ユーザインターフェース２０３、ディスプレイ、および入力デバイス（たとえば、マウス、トラックボール（ｔｒａｃｋｂａｌｌ）、タッチパッド、またはタッチスクリーン）をさらに含む。メモリ２０４は、高速ＲＡＭ（Ｒａｎｄｏｍ−Ａｃｃｅｓｓ  Ｍｅｍｏｒｙ、ランダムアクセスメモリ）を含むことがあり、不揮発性メモリ（ｎｏｎ−ｖｏｌａｔｉｌｅ  ｍｅｍｏｒｙ）、たとえば少なくとも１つのディスクメモリをさらに含むことがある。任意選択で、メモリ２０４は、プロセッサ２０１から離れた少なくとも１つの記憶装置を含むことがある。
【００６１】
いくつかの実装方式では、メモリ２０４は、以下の要素：実行可能モジュールもしくはデータ構造、または実行可能モジュールおよびデータ構造のサブセット、または実行可能モジュールおよびデータ構造の拡張セット：
様々な基本サービスを実装し、ハードウェアベースのタスクを処理するために使用される、様々なシステムプログラムを含む、オペレーティングシステム２０４１、および
様々なアプリケーションサービスを実装するために使用される、様々なアプリケーションプログラムを含む、アプリケーションプログラム２０４２
を記憶する。
【００６２】
アプリケーションプログラム２０４２には、限定はしないが、取得モジュール１０１、伝送モジュール１０２、送信モジュール１０３、第１のスケジューリングモジュール１０４、および第２のスケジューリングモジュール１０５が含まれる。
【００６３】
アプリケーションプログラム２０４２内のモジュールの具体的な実装形態については、図２から図４に示された実施形態の中の対応するモジュールを参照されたい。ここでは詳細は再び記載されない。
【００６４】
具体的には、ネットワークインターフェース２０２は構成情報を取得するように構成され、構成情報は第１のキャリアのカバレージ空間内で第２のキャリアの信号を伝送するためにワイヤレスアクセスノードによって使用され、第１のキャリアによって占有されるスペクトルおよび第２のキャリアによって占有されるスペクトルは重複し、第１のキャリアのサブキャリアおよび第２のキャリアのサブキャリアは直交する。
【００６５】
プロセッサ２０１は、構成情報に従って第２のキャリアの信号を伝送するように構成される。
【００６６】
さらに、第１のキャリアによって占有されるスペクトルおよび第２のキャリアによって占有されるスペクトルは、部分的に重複しているか、完全に重複しているか、または埋め込まれるように重複している。
【００６７】
さらに、第１のキャリアおよび第２のキャリアは、同じ通信規格または異なる通信規格に属する。第１のキャリアおよび第２のキャリアは２つの独立したセルであるか、または第１のキャリアは１次キャリアであり、第２のキャリアは第１のキャリアに対応する２次キャリアである。
【００６８】
さらに、第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施され、時分割多重化または周波数分割多重化は、時間単位または周波数単位内の第１のキャリアまたは第２のキャリアに対応し、第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。
【００６９】
さらに、重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺される。重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減される。第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【００７０】
さらに、第１のキャリアによって占有されるスペクトルの保護帯域および第２のキャリアによって占有されるスペクトルの保護帯域が重複するか、または第１のキャリアによって占有されるスペクトルの保護帯域および第２のキャリアの基本チャネルが重複するか、または第２のキャリアによって占有されるスペクトルの保護帯域および第１のキャリアの基本チャネルが重複する。
【００７１】
任意選択で、第２のキャリアの第２の基本チャネルが共通パイロットチャネルであるとき、プロセッサは、第２のキャリアと第１のキャリアとの間の重複しないスペクトル上の第２のキャリアを使用することにより、復調基準信号を送信するように構成され、復調基準信号は第２のキャリアの重複しないスペクトルのデータ復調に使用される。
【００７２】
任意選択で、第１のキャリアの基本チャネルおよび第２のキャリアの基本チャネルが物理ダウンリンク制御チャネルであるとき、プロセッサは、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信するように構成される。
【００７３】
任意選択で、プロセッサは、クロスキャリアスケジューリング技術を使用することにより、第３のキャリアの物理ダウンリンク制御チャネル上で、第１のキャリアまたは第２のキャリアのダウンリンク制御情報を伝送するように構成される。
【００７４】
第３のキャリアおよび第１のキャリアは重複せず、第３のキャリアおよび第２のキャリアは重複しない。第３のキャリアは１次キャリアであり、第１のキャリアと第２のキャリアの両方は第３のキャリアに対応する２次キャリアであるか、または第３のキャリアは１次キャリアであり、第１のキャリアは１次キャリアであり、第２のキャリアは第３のキャリアに対応する２次キャリアである。
【００７５】
本発明のこの実施形態において提供されたワイヤレスアクセスノードは、構成情報を取得し、構成情報に従って第２のキャリアの信号を伝送することができる。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。２つのキャリアの基本チャネル間の干渉は、重複するスペクトル上で、第２のキャリアの基本チャネルと第１のキャリアの基本チャネルとの間で時分割多重化または周波数分割多重化を実施することによって除去される。重複するスペクトル上で、第１のキャリアの基本チャネルと第２のキャリアの基本チャネルとの間で時分割多重化または周波数分割多重化が実施されることができないとき、２つのキャリアの基本チャネル間の相互干渉は、２つのキャリアの異なるタイプの基本チャネルを重複させ、重複するスペクトル上のキャリアのうちの１つの基本チャネルの伝送電力が低減されるように制御することによって除去される。加えて、１または複数の基本チャネルの電力が低減されるので、別の基本チャネルの復調性能は著しく低下する。別の基本チャネルの復調性能を保証する目的で、第２のキャリアと第１のキャリアとの間の重複しないスペクトル上の第２のキャリアを使用することにより、復調基準信号が送信される。したがって、別の基本チャネルの復調性能は改善される。加えて、キャリアのダウンリンク制御情報は、クロスキャリアスケジューリング技術を使用することにより、別のキャリアのダウンリンク制御チャネル上で送信されることができ、それによって、キャリアのダウンリンク制御チャネルの低減された伝送電力によって引き起こされる、ダウンリンク制御情報が送信されることができない状況を回避する。
【００７６】
本発明のこの実施形態におけるワイヤレスアクセスノードは、セルラー通信システム内の基地局または基地局コントローラ、たとえば、ＬＴＥシステム内の発展型ノードＢ（ｅＮＢ）、またはＵＭＴＳ内のノードＢ（ＮｏｄｅＢ）もしくは無線ネットワークコントローラ（ｒａｄｉｏ  ｎｅｔｗｏｒｋ  ｃｏｎｔｒｏｌｌｅｒ、ＲＮＣ）であり得るか、または非セルラー通信システム内のＷＬＡＮアクセスポイント（ａｃｃｅｓｓ  ｐｏｉｎｔ、ＡＰ）であり得る。
【００７７】
本発明の実施形態は、信号伝送方法を提供する。図６に示されたように、信号伝送方法は以下のステップを含む。
【００７８】
３０１．ワイヤレスアクセスノードが構成情報を取得する。
【００７９】
構成情報は、第１のキャリアのカバレージ空間内で第２のキャリアの信号を伝送するためにワイヤレスアクセスノードによって使用される。第１のキャリアのカバレージ空間は物理空間であり、カバレージ空間の位置は、ワイヤレスアクセスノードの位置およびアンテナ開放角などの様々な要因によって決定される。第１のキャリアによって占有されるスペクトルおよび第２のキャリアによって占有されるスペクトルは重複し、第１のキャリアのサブキャリアおよび第２のキャリアのサブキャリアは直交する。したがって、第１のキャリアのサブキャリアと第２のキャリアのサブキャリアとの間に干渉は存在しない。図６ａに示されたように、キャリアＡおよびキャリアＢ上で、キャリアＡのサブキャリアおよびキャリアＢのサブキャリアが直交する。
【００８０】
ワイヤレスアクセスノードは、ネットワーク内の別のワイヤレスアクセスノード、たとえば、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ、オペレーション、アドミニストレーション、およびメンテナンス）デバイスから構成情報を取得してよいことに留意されたい。ワイヤレスアクセスノードは、さらに、ローカルの操作員によって入力された入力命令を受信し、入力命令から構成情報を取得してよい。
【００８１】
３０２．ワイヤレスアクセスノードが構成情報に従って第２のキャリアの信号を伝送する。
【００８２】
ワイヤレスアクセスノードは、構成情報に従って、第１のキャリアのカバレージ空間内で第２のキャリアの信号を伝送する。キャリアの信号はキャリアの基本チャネルを搬送する。
【００８３】
本発明のこの実施形態において提供された信号伝送方法によれば、構成情報が取得されることができ、構成情報に従って第２のキャリアの信号が伝送される。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。
【００８４】
第１のキャリアによって占有されるスペクトルおよび第２のキャリアによって占有されるスペクトルは、部分的に重複していることがあることにさらに留意されたい。たとえば、図６ｂに示されたように、第１のキャリアがキャリアＡであり、第２のキャリアがキャリアＢであり、キャリアＡによって占有されるスペクトルとキャリアＢによって占有されるスペクトルとの間に重複部分が存在し、キャリアＡによって占有されるスペクトルおよびキャリアＢによって占有されるスペクトルは部分的に重複している。第１のキャリアによって占有されるスペクトルおよび第２のキャリアによって占有されるスペクトルは、完全に重複していることがある。たとえば、図６ｃに示されたように、キャリアＡによって占有されるスペクトルの帯域幅がキャリアＢによって占有されるスペクトルの帯域幅と等しく、キャリアＡによって占有されるスペクトルおよびキャリアＢによって占有されるスペクトルは完全に重複している。あるいは、第１のキャリアによって占有されるスペクトルおよび第２のキャリアによって占有されるスペクトルは、埋め込まれるように重複していることがある。たとえば、図６ｄに示されたように、キャリアＡによって占有されるスペクトルの帯域幅がキャリアＢによって占有されるスペクトルの帯域幅よりも大きく、キャリアＢによって占有されるスペクトルは埋め込まれるようにキャリアＡによって占有されるスペクトルと重複する。２つのキャリアによって占有されるスペクトルは、部分的に重複しているか、完全に重複しているか、または埋め込まれるように重複しており、その結果、２つのキャリアによって占有されるスペクトルの総帯域幅は低減される。加えて、２つのキャリアを含む複数のキャリアによって占有されるスペクトルの総帯域幅は低減され、その結果、複数のキャリアは、限定されたスペクトル上で効率的に構成されることができる。
【００８５】
任意選択で、第１のキャリアと第２のキャリアの両方は、保護帯域を有することがあることに留意されたい。第１のキャリアと第２のキャリアの両方について、保護帯域上の伝送電力は０であり、すなわち、電力が送信されない。例としてＬＴＥシステム内のキャリアが使用される。ＬＴＥシステム内のキャリアの場合、キャリアの両側にキャリアの帯域幅の５％を占有する保護帯域が存在する。図７ａに示されたように、ＬＴＥシステム内のキャリアの帯域幅が１０Ｍである場合、キャリアの伝送電力が０よりも大きいスペクトルの帯域幅は９Ｍのみであり、キャリアによって占有されるスペクトルの両側に０．５Ｍの帯域幅の保護帯域が存在し、０．５Ｍの帯域幅の２つの保護帯域上のキャリアの伝送電力は０である。具体的には、第１のキャリアによって占有されるスペクトルの保護帯域および第２のキャリアによって占有されるスペクトルの保護帯域は重複することがある。たとえば、図７ｂに示されたように、キャリアＡとキャリアＢの両方が保護帯域を有し、キャリアＡによって占有されるスペクトルの保護帯域およびキャリアＢによって占有されるスペクトルの保護帯域は重複する。あるいは、第１のキャリアによって占有されるスペクトルの保護帯域および第２のキャリアの基本チャネルは重複することがあり、第２のキャリアによって占有されるスペクトルの保護帯域および第１のキャリアの基本チャネルは重複することがある。たとえば、図７ｃに示されたように、キャリアＡとキャリアＢの両方が保護帯域を有し、キャリアＡによって占有されるスペクトルの保護帯域およびキャリアＢの基本チャネルは重複し、キャリアＢによって占有されるスペクトルの保護帯域およびキャリアＡの基本チャネルは重複する。
【００８６】
加えて、図７ｅに示されたように、ＬＴＥシステム内のキャリアが保護帯域を有するので、ＬＴＥシステム内の２つのキャリアによって占有されるスペクトルが重複するとき、形式的な重複エリアは実際の重複エリアよりも大きいことにさらに留意されたい。形式的な重複エリアは、重複する保護帯域によって占有されるスペクトルを含み、実際の重複エリアは、重複する保護帯域によって占有されるスペクトルを含まない。この場合、２つのキャリアによって占有されるスペクトルは、部分的に重複しているか、完全に重複しているか、または埋め込まれるように重複しており、その結果、２つのキャリアによって占有される総帯域幅上にあり、基本チャネルを送信しない部分は低減され、スペクトルリソース利用率はさらに改善される。図７ｆに示されたように、従来技術では、ＬＴＥシステム内の２つのキャリアによって占有されるスペクトル上で、４つの保護帯域によって占有されるスペクトル上の伝送電力は０である。図７ｃに示されたように、本発明では、形式的な重複エリアは、実際の重複エリアと比較すると、さらに２つの保護帯域によって占有されるスペクトルを含む。４つの保護帯域の中の２つの保護帯域は、２つのキャリア間の重複部分の中で使用される。基本チャネルは、２つの保護帯域によって占有されるスペクトル上で適切に送信されることができ、その結果、ＬＴＥシステム内の２つのキャリアによって占有されるスペクトル上で、２つのみの保護帯域によって占有されるスペクトル上の伝送電力は０である。したがって、ＬＴＥシステム内のキャリアのスペクトルリソース利用率はさらに改善される。
【００８７】
加えて、従来技術では、異なる通信規格におけるキャリアによってスペクトルを共有するプロセスにおいて、通信規格のうちの１つにおけるキャリアによって占有されるスペクトルの帯域幅が増大する場合、別の通信規格におけるキャリアによって占有されるスペクトルの帯域幅は低減される。その結果、帯域幅が低減されるキャリアによって占有されるスペクトルは、帯域幅が増大するキャリアによって占有されるスペクトルの中に入ることがあり、帯域幅が低減されるキャリアは、帯域幅が増大するキャリアに対して帯域内干渉を引き起こし、異なる通信規格におけるキャリア間の干渉は、比較的重大である。
【００８８】
本発明のこの実施形態では、しかしながら、限定されたスペクトルリソース上の複数のキャリアによって占有されるスペクトルの総帯域幅は、複数のキャリア間の重複するスペクトルの帯域幅を調整することによって調整される。したがって、スペクトル上の十分な空間は、別の通信規格におけるキャリアに割り振られることができ、それによって帯域内干渉を除去する。
【００８９】
任意選択で、第１のキャリアおよび第２のキャリアは同じ通信規格に属し、たとえば、第１のキャリアと第２のキャリアの両方はＬＴＥシステム内のキャリアである。あるいは、第１のキャリアおよび第２のキャリアは異なる通信規格に属し、たとえば、第１のキャリアはＬＴＥシステム内のキャリアであり、第２のキャリアはＧＳＭ通信システム内のキャリアである。
【００９０】
任意選択で、第１のキャリアおよび第２のキャリアは２つの独立したセルであるか、または第１のキャリアは１次キャリアであり、第２のキャリアは第１のキャリアに対応する２次キャリアである。
【００９１】
さらに、第２のキャリアの信号は第２のキャリアの基本チャネルを搬送し、重複するスペクトル上で、第２のキャリアの基本チャネルと第１のキャリアの基本チャネルとの間で時分割多重化または周波数分割多重化が実施される。時分割多重化または周波数分割多重化は、時間単位または周波数単位内の第１のキャリアまたは第２のキャリアに対応する。時間単位は、タイムスロット、シンボルなどであり得る。時分割多重化または周波数分割多重化は、同じ時間単位または周波数単位内の第１のキャリアと第２のキャリアの両方に対応することができず、すなわち、重複するスペクトル上で、第２のキャリアの基本チャネルは、時間領域または周波数領域内で第１のキャリアの基本チャネルから外れ、それによって、第１のキャリアの基本チャネルと第２のキャリアの基本チャネルとの間の相互干渉を回避する。
【００９２】
第２のキャリアの基本チャネルと第１のキャリアの基本チャネルの両方は、共通チャネル（ＣＣＨ、Ｃｏｍｍｏｎ  Ｃｈａｎｎｅｌ）、共通制御チャネル、専用制御チャネル、共有チャネル、およびランダムアクセスチャネルのうちの少なくとも１つを含む。例としてＬＴＥシステムが使用される。共通チャネルには、１次同期チャネル（ＰＳＳ、Ｐｒｉｍａｒｙ  Ｓｙｎｃｈｒｏｎｉｚａｔｉｏｎ  Ｓｉｇｎａｌ）、２次同期チャネル（ＳＳＳ、Ｓｅｃｏｎｄａｒｙ  Ｓｙｎｃｈｒｏｎｉｚａｔｉｏｎ  Ｓｉｇｎａｌ）、物理ブロードキャストチャネル（ＰＢＣＨ、Ｐｈｙｓｉｃａｌ  Ｂｒｏａｄｃａｓｔ  Ｃｈａｎｎｅｌ）、セル固有基準信号（ＣＲＳ、Ｃｏｍｍｏｎ  Ｒｅｆｅｒｅｎｃｅ  Ｓｙｍｂｏｌ）などが含まれ、セル固有基準信号は共通パイロットチャネルである。共通制御チャネルには、物理制御フォーマットインジケータチャネル（ＰＣＦＩＣＨ、Ｐｈｙｓｉｃａｌ  Ｃｏｎｔｒｏｌ  Ｆｏｒｍａｔ  Ｉｎｄｉｃａｔｉｏｎ  Ｃｈａｎｎｅｌ）および物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）が含まれる。専用制御チャネルには、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）および物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）が含まれる。共有チャネルには、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ、Ｐｈｙｓｉｃａｌ  Ｍｕｌｔｉｃａｓｔ  Ｃｈａｎｎｅｌ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）などが含まれる。基本チャネルは、限定はしないが、上記の共通チャネル、共通制御チャネル、専用制御チャネル、共有チャネル、またはランダムアクセスチャネルを含むことに留意されたい。
【００９３】
具体的には、第１のキャリアによって占有されるスペクトルと第２のキャリアによって占有されるスペクトルとの間の重複部分上で、第１のキャリアおよび第２のキャリアの中の１つのキャリアが基本チャネルを送信すると、他のキャリアは基本チャネルを送信しない。たとえば、図８ａに示されたように、キャリアＡとキャリアＢとの間の重複するスペクトル上で、キャリアＡは基本チャネルを送信し、キャリアＢは基本チャネルを送信しない。あるいは、第１のキャリアと第２のキャリアとの間の重複部分はいくつかの下位部分に分割され、各下位部分上で、第１のキャリアおよび第２のキャリアの中の１つのキャリアが基本チャネルを送信すると、他のキャリアは基本チャネルを送信しない。たとえば、図８ｂに示されたように、キャリアＡとキャリアＢとの間の重複部分が下位部分１および下位部分２に分割され、下位部分１上で、キャリアＡは基本チャネルを送信し、キャリアＢは基本チャネルを送信せず、下位部分２上で、キャリアＢは基本チャネルを送信し、キャリアＡは基本チャネルを送信しない。あるいは、通信システム内の第１のキャリアおよび第２のキャリアの許容できる冗長範囲内で、第１のキャリアと第２のキャリアの両方は、基本チャネルを適切に送信する。上記の実装方法は、主に、第１のキャリアによって占有されるスペクトルと第２のキャリアによって占有されるスペクトルとの間の重複部分が比較的広いとき、たとえば、重複部分の帯域幅が重複帯域幅しきい値よりも大きいときに適用される。
【００９４】
第１のキャリアによって占有されるスペクトルと第２のキャリアによって占有されるスペクトルとの間の重複部分が比較的狭いとき、たとえば、重複部分の帯域幅が重複帯域幅しきい値よりも小さいかまたは等しいとき、第１のキャリアと第２のキャリアの両方は、重複するスペクトル上で基本チャネルを適切に送信することができる。たとえば、第１のキャリアと第２のキャリアの両方の帯域幅は５Ｍであり、第１のキャリアと第２のキャリアとの間の重複するスペクトルの帯域幅は０．５Ｍであり、第１のキャリアと第２のキャリアの両方は、０．５Ｍの重複するスペクトル上で基本チャネルを送信する。
【００９５】
異なる通信規格における通信システム内のキャリアの特徴は異なるので、キャリアが第１のキャリアと第２のキャリアとの間の重複するスペクトル上で基本チャネルを送信するように制御されるとき、キャリアの特徴も考慮される必要があることに留意されたい。たとえば、第１のキャリアおよび第２のキャリアの保護帯域のみが重複するとき、第１のキャリアの基本チャネルおよび第２のキャリアの基本チャネルは重複しない。したがって、第１のキャリアは第１のキャリアの基本チャネルを適切に送信し、第２のキャリアは第２のキャリアの基本チャネルを適切に送信する。
【００９６】
以下で、基本チャネルが特定のチャネルであるときに重複するスペクトル上で周波数分割多重化または時分割多重化を実施する特定の内容についての具体例を与える。重複するスペクトル上で周波数分割多重化または時分割多重化を実施する特定の内容は、以下の例に限定されないことに留意されたい。
【００９７】
ａ．基本チャネルが共通チャネルであるとき、第１のキャリアは基本キャリアとして使用されることがあり、第１のキャリアの共通チャネル（ＣＣＨ、Ｃｏｍｍｏｎ  Ｃｈａｎｎｅｌ）は調整されない。スペクトル上の第２のキャリアの位置は周波数分割多重化によって変更され、その結果、第１のキャリアの共通チャネルのスペクトルは、第２のキャリアの共通チャネルのスペクトルから外れる。第１のキャリアのサブキャリアおよび第２のキャリアのサブキャリアが第１のキャリアと第２のキャリアとの間の重複部分上で直交することを保証する目的で、第１のキャリアのサブキャリアおよび第２のキャリアのサブキャリアが直交することを保証するために、第１のキャリアの中心周波数と第２のキャリアの中心周波数との間の間隔がサブキャリアのうちのいずれかの整数倍の帯域幅であることが保証される必要があることに留意されたい。説明のための例としてＬＴＥシステム内のキャリアが使用される。ＬＴＥシステム内のキャリアのサブキャリアの帯域幅は１５ｋＨｚである。加えて、ＬＴＥシステム内の２つのキャリアの中心周波数間の差は、１００ｋＨｚの整数倍であることが必要とされる。したがって、ＬＴＥシステム内のキャリアの場合、２つのキャリアの中心周波数間の差は、１５ｋＨｚおよび１００ｋＨｚの最小公倍数の整数倍であることが必要とされる。たとえば、ＬＴＥシステム内の２つのキャリアは、個別にキャリアＡおよびキャリアＢである。キャリアＡおよびキャリアＢの帯域幅は両方とも５ＭＨｚであり、ＬＴＥシステム内のキャリアの共通チャネルはキャリアの中心にあり、帯域幅は１．０８ＭＨｚである。図８ｃに示されたように、キャリアＡは０から５ＭＨｚの周波数帯域上にあり、キャリアＢは１．０８ＭＨｚから６．０８ＭＨｚの周波数帯域上にある。キャリアＡの共通チャネルは１．９６ＭＨｚから３．０４ＭＨｚの周波数帯域を占有し、キャリアＢの共通チャネルは３．０４ＭＨｚから４．１２ＭＨｚの周波数帯域を占有する。キャリアＡの共通チャネルのスペクトルはキャリアＢの共通チャネルのスペクトルから外れ、すなわち、キャリアＡの共通チャネルのスペクトルおよびキャリアＢの共通チャネルのスペクトルは重複しない。
【００９８】
任意選択で、基本チャネルが共通チャネルであるとき、キャリアの共通チャネルは時間領域内で連続して送信される代わりに固定時間に送信される。たとえば、ＬＴＥシステム内のキャリアの場合、共通チャネルは各無線フレームの１番目および１１番目のタイムスロットの最後の２シンボル上で送信される。別の例を挙げると、ＭＩＢ（Ｍａｉｎ  Ｉｎｆｏｒｍａｔｉｏｎ  Ｂｌｏｃｋ、マスタ情報ブロック）は、各無線フレームの１番目のタイムスロット内で送信される。第１のキャリアによって占有されるスペクトルおよび第２のキャリアによって占有されるスペクトル、ならびに２つのキャリアの共通チャネルによって占有されるスペクトルも重複すると、２つのキャリアの無線フレームは一定数のシンボルまたはタイムスロットの間外れることがあり、その結果、２つのキャリアが共通チャネルを送信する時間は外れ、すなわち、重複するスペクトル上で時分割多重化が実施される。１つのキャリアが共通チャネルを送信すると、他のキャリアはＲＥ（Ｒｅｓｏｕｒｃｅ  Ｅｌｅｍｅｎｔ、データリソース要素）を送信しないことに留意されたい。具体的には、１つのキャリアが共通チャネルを送信すると、他のキャリアは使用するためにＰＲＢ（Ｐｈｙｓｉｃａｌ  Ｒｅｓｏｕｒｃｅ  Ｂｌｏｃｋ、物理リソースブロック）をスケジュールしないように制御されることがあるか、または１つのキャリアが共通チャネルを送信すると、キャリア制御デバイスは、使用するためにＰＲＢをスケジュールするが、データリソース要素上で電力を送信しないように他のキャリアを制御し、それによって、共通チャネルに対するデータリソース要素の干渉を回避する。
【００９９】
ｂ．基本チャネルがセル固有基準信号であるとき、セル固有基準信号が共通パイロットチャネルである場合、第１のキャリアは基本キャリアとして使用され、第１のキャリア上のセル固有基準信号の分布は変更されない。第２のキャリアによって送信されるセル固有基準信号の分布は調整され、第２のキャリアは、第２のキャリアの同期性能を保証するために、第２のキャリアの共通チャネルによって占有されるスペクトル上でセル固有基準信号を送信する。加えて、第２のキャリアは、第２のキャリアと第１のキャリアとの間の重複しないスペクトル上でセル固有基準信号を送信する。第２のキャリアの共通チャネル内のセル固有基準信号と第１のキャリアのセル固有基準信号との間の重複によって引き起こされる２つのキャリアの共通パイロットチャネル間の強力過ぎる相互干渉を回避する目的で、スペクトル上の第２のキャリアの位置は調整され、その結果、第２のキャリアの共通チャネル内のセル固有基準信号のスペクトルおよび第１のキャリアのセル固有基準信号のスペクトルは外れる。具体的には、２つのキャリアが異なるセルに属するとき、２つのキャリアは、ＰＣＩ（Ｐｈｙｓｉｃａｌ  Ｃｅｌｌ  ＩＤ、物理セル識別子）を構成することにより、異なるグループに分類されることがある。異なるグループ内のキャリアのセル固有基準信号の分布は異なり、その結果、第２のキャリアの共通チャネル内のセル固有基準信号のスペクトルおよび第１のキャリアのセル固有基準信号のスペクトルは外れ、それによって、重複するスペクトル上で周波数分割多重化を実施する目的を達成する。あるいは、第２のキャリアの共通チャネル内のセル固有基準信号および第１のキャリアのセル固有基準信号は、第２のキャリアのスペクトル位置を変更することによって外れることがある。たとえば、図８ｄに示されたように、ＬＴＥシステム内のキャリアＡおよびキャリアＢの場合、キャリアＢは共通チャネルのスペクトルおよびキャリアＢとキャリアＡの間の重複しないスペクトル上でセル固有基準信号を送信し、キャリアＢの共通チャネル上のセル固有基準信号およびキャリアＡ上のセル固有基準信号は重複しない。
【０１００】
任意選択で、基本チャネルがセル固有基準信号であるとき、第２のキャリアの無線フレームおよび第１のキャリアの無線フレームは、時間領域内でｎ個のシンボルまたはタイムスロットの間外れ、すなわち、第２のキャリアの共通チャネル上のセル固有基準信号の送信時間は、第１のキャリアのセル固有基準信号の送信時間から外れるように調整される。ｎは正の整数であり、ｎの値は、第１のキャリアのセル固有基準信号および第２のキャリアのセル固有基準信号の分布によって決定されることに留意されたい。第２のキャリアの無線フレームおよび第１のキャリアの無線フレームが時間領域内でｎ個のシンボルまたはタイムスロットの間外れた後、第１のキャリアのセル固有基準信号および第２のキャリアのセル固有基準信号が重複しないか、または時間領域内で外れ、すなわち、重複するスペクトル上で時分割多重化が実施されることが保証される。
【０１０１】
ｃ．基本チャネルが物理ダウンリンク制御チャネルであるとき、第２のキャリアは、第１のキャリアと第２のキャリアとの間の重複しないスペクトル上で拡張物理ダウンリンク制御チャネルを送信することがある。拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）のタイプである。しかしながら、拡張物理ダウンリンク制御チャネルは、キャリアの完全な周波数帯域上で送信される必要がない。拡張物理ダウンリンク制御チャネルは、キャリアの特定の周波数帯域上で送信されるように設定されることがある。第２のキャリアは、第２のキャリアと第１のキャリアとの間の重複しないスペクトル上で拡張物理ダウンリンク制御チャネルを送信する。たとえば、図８ｅに示されたように、キャリアＡは完全な周波数帯域上で物理ダウンリンク制御チャネルを送信し、キャリアＢは、キャリアＢ専用のスペクトルとキャリアＡによって占有されるスペクトルとの間の非重複部分上で拡張物理ダウンリンク制御チャネルを送信する。加えて、物理ダウンリンク制御チャネルはキャリアによって占有されるスペクトルの完全な周波数帯域上で送信されるので、第１のキャリアによって占有されるスペクトルと第２のキャリアによって占有されるスペクトルとの間の重複部分が比較的広いとき、すなわち、重複部分の帯域幅が特定のしきい値を超える、たとえば、重複部分の帯域幅が第１のキャリアの帯域幅の３分の２を占有するとき、第１のキャリアは第１のキャリアによって占有されるスペクトル上で物理ダウンリンク制御チャネルを適切に送信することができ、第２のキャリアは物理ダウンリンク制御チャネルを送信せず、それによって、第１のキャリアの物理ダウンリンク制御チャネルと第２のキャリアの物理ダウンリンク制御チャネルとの間にあり、チャネル性能に影響を及ぼす干渉を回避することに留意されたい。たとえば、図８ｆに示されたように、キャリアＡによって占有されるスペクトルとキャリアＢによって占有されるスペクトルとの間の重複部分の帯域幅は、キャリアＡの帯域幅の半分を超える。キャリアＡは完全な周波数帯域上で物理ダウンリンク制御チャネルを送信し、キャリアＢは物理ダウンリンク制御チャネルを送信しない。あるいは、第１のキャリアによって占有されるスペクトルと第２のキャリアによって占有されるスペクトルとの間の重複部分が比較的狭いとき、すなわち、重複部分の帯域幅が特定のしきい値を超えない、たとえば、重複部分の帯域幅がキャリアのいずれかの帯域幅の３分の１を占有するとき、第１のキャリアと第２のキャリアの両方は、第１のキャリアおよび第２のキャリアによってそれぞれ占有されるスペクトルの完全な周波数帯域上で物理ダウンリンク制御チャネルを送信する。たとえば、図８ｇに示されたように、キャリアＡとキャリアＢとの間の重複部分の帯域幅は、キャリアＡの帯域幅の半分よりも小さい。キャリアＡは完全な周波数帯域上で物理ダウンリンク制御チャネルを送信し、キャリアＢは完全な周波数帯域上で物理ダウンリンク制御チャネル���送信する。
【０１０２】
物理制御フォーマットインジケータチャネルおよび物理ハイブリッド自動再送要求インジケータチャネルのためのチャネル処理方法は、物理ダウンリンク制御チャネルのためのチャネル処理方法と同様であることにさらに留意されたい。
【０１０３】
ｄ．基本チャネルが物理ダウンリンク共有チャネルであるとき、第１のキャリアは基本キャリアとして使用され、第１のキャリアは物理ダウンリンク共有チャネルを適切に送信する。第２のキャリアの共通チャネルによって占有されるスペクトルおよび第１のキャリアによって占有されるスペクトルが重複しないとき、第２のキャリアは、第２のキャリアと第１のキャリアとの間の重複するスペクトルおよび第２のキャリアの共通チャネルのスペクトル上で物理ダウンリンク共有チャネルを送信せず、第２のキャリアは、第２のキャリアの共通チャネルによって占有されるスペクトル以外の第２のキャリアと第１のキャリアとの間の非重複部分上で物理ダウンリンク共有チャネルを送信しない。たとえば、図８ｈに示されたように、キャリアＢの共通チャネルによって占有されるスペクトルおよびキャリアＡによって占有されるスペクトルは重複しない。キャリアＡは物理ダウンリンク共有チャネルを適切に送信し、キャリアＢは、キャリアＡとキャリアＢとの間の重複部分上で物理ダウンリンク共有チャネルを送信しない。キャリアＢは、キャリアＢの共通チャネルによって占有されるスペクトル以外のキャリアＡとキャリアＢとの間の非重複部分上で物理ダウンリンク共有チャネルを送信する。
【０１０４】
ｅ．基本チャネルがアップリンクチャネルであるとき、アップリンクチャネルが物理アップリンク制御チャネルおよび物理アップリンク共有チャネルを含む場合、第２のキャリア上の物理アップリンク制御チャネルによって占有されるスペクトルおよび第１のキャリア上の物理アップリンク共有チャネルによって占有されるスペクトルは重複し、第２のキャリアは、重複するスペクトル上で物理アップリンク共有チャネルを送信しない。第２のキャリアの物理アップリンク制御チャネルのスペクトル位置は、第２のキャリアの物理アップリンク制御チャネルによって占有されるスペクトルおよび第１のキャリアによって占有されるスペクトルが外れるまで変更される。たとえば、図８ｉに示されたように、キャリアＢによって占有されるスペクトルとキャリアＡによって占有されるスペクトルとの間の重複部分上で、キャリアＢは物理アップリンク共有チャネルを送信しない。キャリアＢの物理アップリンク制御チャネルは、キャリアＢの中心周波数に向かって動かされ、その結果、キャリアＢの物理アップリンク制御チャネルおよびキャリアＡの物理アップリンク制御チャネルは外れる。物理アップリンク制御チャネルのスペクトル以外の他のスペクトル、および物理アップリンク共有チャネルが送信されないスペクトル上で、キャリアＡとキャリアＢの両方は物理アップリンク共有チャネルを送信する。
【０１０５】
上記の内容のすべては、重複するスペクトル上で、第２のキャリアの基本チャネルと第１のキャリアの基本チャネルとの間で時分割多重化または周波数分割多重化を実施することについての具体例である。時分割多重化または周波数分割多重化は重複するスペクトル上で実施され、それによって、第１のキャリアの基本チャネルと第２のキャリアの基本チャネルとの間の干渉を回避する。
【０１０６】
以下で、重複するスペクトル上で、第１のキャリアの基本チャネルと第２のキャリアの基本チャネルとの間で周波数分割多重化または時分割多重化が実施されることができないときに、第１のキャリアの基本チャネルおよび第２のキャリアの基本チャネルを処理するための方法を記載する。
【０１０７】
重複するスペクトル上で、第１のキャリアの基本チャネルと第２のキャリアの基本チャネルとの間で周波数分割多重化または時分割多重化が実施されることができないとき、第１のキャリアの第１の基本チャネルおよび第２のキャリアの第２の基本チャネルを重複させるために、第１のキャリアのサブフレーム開始モーメントおよび第２のキャリアのサブフレーム開始モーメントは特定の時間単位の間相殺される。重複するスペクトル上の第２のキャリアの第２の基本チャネルの伝送電力は、あらかじめ設定されたしきい値よりも小さくなるように、もしくは０になるように低減されるか、または重複するスペクトル上の第１のキャリアの第１の基本チャネルの伝送電力は、あらかじめ設定されたしきい値よりも小さくなるように、もしくは０になるように低減される。
【０１０８】
第２のキャリアの基本チャネルと第１のキャリアの基本チャネルの両方は、共通チャネル、共通制御チャネル、専用制御チャネル、共有チャネル、およびランダムアクセスチャネルのうちの少なくとも１つを含む。第１のキャリアの第１の基本チャネルは第１のキャリアの基本チャネルのうちの１つであり、第２のキャリアの第２の基本チャネルは第２のキャリアの基本チャネルのうちの１つであり、第１の基本チャネルおよび第２の基本チャネルは異なるタイプのチャネルである。
【０１０９】
以下で、第１の基本チャネルおよび第２の基本チャネルが特定のチャネルであるとき、第１の基本チャネルと、第２のキャリアのものであり、伝送電力を変更する第２の基本チャネルとを重複させる内容についての具体例を与える。しかしながら、第１の基本チャネルと、第２のキャリアのものであり、伝送電力を変更する第２の基本チャネルとを重複させる特定の内容は以下の例に限定されないことに留意されたい。
【０１１０】
ａ．第１のキャリアの第１の基本チャネルが物理ダウンリンク共有チャネルであり、第２のキャリアの第２の基本チャネルが物理ダウンリンク制御チャネルであるとき、第２のキャリアのサブフレーム開始モーメントは、第２のキャリアの物理ダウンリンク制御チャネルおよび第１のキャリアの物理ダウンリンク共有チャネルを重複させるために、第１のキャリアの特定の時間単位の間相殺される。たとえば、第１のキャリアの物理ダウンリンク制御チャネルの送信時間は変更されない。具体的には、第２のキャリアが物理ダウンリンク制御チャネルを送信するタイムスロット、および第１のキャリアが物理ダウンリンク制御チャネルを送信するタイムスロットは、第２のキャリアの物理ダウンリンク制御チャネルおよび第１のキャリアの物理ダウンリンク共有チャネルを重複させるために、１または複数のシンボルの間隔の間外れる。物理ダウンリンク共有チャネル上の第１のキャリアの伝送電力は、あらかじめ設定されたしきい値よりも小さくなるように、もしくは０になるように低減され、０は伝送電力が存在しないことを表し、または物理ダウンリンク制御チャネル上の第２のキャリアの伝送電力は、あらかじめ設定されたしきい値よりも小さくなるように、もしくは０になるように低減される。たとえば、図９ａに示されたように、キャリアＢのｎ番目の無線フレームは、キャリアＡのｎ番目の無線フレームから５つのシンボルの間外れる。キャリアＢによって物理ダウンリンク制御チャネルを送信するためのシンボルの送信時間は、キャリアＡによって物理ダウンリンク共有チャネルを送信するためのシンボルの送信時間に対応し、キャリアＡは物理ダウンリンク共有チャネルのシンボル上で電力を送信しない。加えて、キャリアＡによって物理ダウンリンク制御チャネルを送信するためのシンボルの送信時間は、キャリアＢによって物理ダウンリンク共有チャネルを送信するためのシンボルの送信時間に対応し、キャリアＢは物理ダウンリンク共有チャネルのシンボル上で電力を送信しない。
【０１１１】
ｂ．第１のキャリアの第１の基本チャネルが物理ダウンリンク共有チャネルであり、第２のキャリアの第２の基本チャネルが共通チャネルであるとき、ならびに第２のキャリアの共通チャネルおよび物理ダウンリンク共有チャネルが重複するとき、第２のキャリアの共通チャネルの伝送電力は変更されず、第１のキャリアの物理ダウンリンク共有チャネルの伝送電力は、あらかじめ設定されたしきい値よりも小さくなるように、または０になるように低減される。第１のキャリアは、第１のキャリアの物理ダウンリンク共有チャネルと第２のキャリアの共通チャネルとの間の非重複部分上で物理ダウンリンク共有チャネルを適切に送信し、第２のキャリアは、第１のキャリアと第２のキャリアとの間の非重複部分上、および第２のキャリアの共通チャネル上で物理ダウンリンク共有チャネルを適切に送信する。たとえば、図９ｂに示されたように、キャリアＡは、キャリアＡとキャリアＢの共通チャネルとの間の重複部分上で物理ダウンリンク共有チャネルを送信せず、キャリアＡは、キャリアＡの残りのスペクトル上で物理ダウンリンク共有チャネルを送信する。キャリアＢは、キャリアＢの共通チャネルによって占有されるスペクトル上で物理ダウンリンク共有チャネルを送信し、キャリアＢは、キャリアＡとキャリアＢとの間の重複しないスペクトル上で物理ダウンリンク共有チャネルをさらに送信し、キャリアＢは、キャリアＢの残りのスペクトル上で物理ダウンリンク共有チャネルを送信しない。
【０１１２】
ｃ．第１のキャリアの第１の基本チャネルが物理アップリンク共有チャネルであり、第２のキャリアの第２の基本チャネルが物理アップリンク制御チャネルであり、第２のキャリアの物理アップリンク制御チャネルおよび第１のキャリアの物理アップリンク共有チャネルが重複するとき、第１のキャリアは、第２のキャリアの物理アップリンク共有チャネルと第１のキャリアとの間の重複部分上で物理アップリンク制御チャネルを送信せず、すなわち、伝送電力は、あらかじめ設定されたしきい値よりも小さくなるように、または０になるように低減され、第１のキャリアは、第２のキャリアの物理アップリンク制御チャネルと第１のキャリアの物理アップリンク共有チャネルとの間の重複するスペクトル上で物理アップリンク共有チャネルを送信しない。たとえば、図９ｃに示されたように、キャリアＢの物理アップリンク制御チャネルおよびキャリアＡの物理アップリンク共有チャネルが重複するとき、キャリアＡは物理アップリンク制御チャネルを適切に送信し、キャリアＢは、キャリアＡとキャリアＢの物理アップリンク共有チャネルとの間の重複するスペクトル上で物理アップリンク共有チャネルを送信せず、キャリアＡは、キャリアＡの物理アップリンク共有チャネルとキャリアＢの物理アップリンク制御チャネルとの間の重複するスペクトル上で物理アップリンク共有チャネルを送信しない。
【０１１３】
上記の内容のすべては、第１の基本チャネルおよび第２の基本チャネルが特定のチャネルであるとき、第１の基本チャネルと、第２のキャリアのものであり、伝送電力を変更する第２の基本チャネルとを重複させることについての具体例である。第１の基本チャネルと、第２のキャリアのものであり、伝送電力を変更する第２の基本チャネルとを重複させることにより、第１のキャリアの第１の基本チャネルと第２のキャリアの第２の基本チャネルとの間の干渉が回避される。
【０１１４】
さらに、第２のキャリアの第２の基本チャネルが共通パイロットチャネルであるとき、図６に示された解決策に基づいて、本発明の実施形態は信号伝送方法の具体的な解決策をさらに提供し、すなわち、ステップ３０３が追加される。図１０に示されたように、信号伝送方法は以下をさらに含む。
【０１１５】
３０３．ワイヤレスアクセスノードが第２のキャリアと第１のキャリアとの間の重複しないスペクトル上の第２のキャリアを使用することにより復調基準信号を送信する。
【０１１６】
復調基準信号は、第２のキャリアの重複しないスペクトルのデータ復調に使用される。第２のキャリアと第１のキャリアとの間の重複するスペクトル上で、第２のキャリアがセル固有基準信号を送信しない場合、その復調がセル固有基準信号に基づく基本チャネルの復調性能は、第２のキャリアと第１のキャリアとの間の重複しないスペクトル上で著しく低下することがあることに留意されたい。チャネルデータに加えて、第２のキャリアは、基本チャネルの復調性能を保証するために、重複しないスペクトル上の基本チャネル復調に使用される復調基準信号をさらに送信することがある。
【０１１７】
本発明のこの実施形態において提供された信号伝送方法によれば、構成情報が取得されることができ、構成情報に従って第２のキャリアの信号が伝送される。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。加えて、１または複数の基本チャネルの電力が低減されるので、別の基本チャネルの復調性能は著しく低下する。別の基本チャネルの復調性能を保証する目的で、第２のキャリアと第１のキャリアとの間の重複しないスペクトル上の第２のキャリアを使用することにより、復調基準信号が送信される。したがって、別の基本チャネルの復調性能は改善される。
【０１１８】
さらに、第１のキャリアの基本チャネルおよび第２のキャリアの基本チャネルが物理ダウンリンク制御チャネルであるとき、図６に示された解決策に基づいて、本発明の実施形態は信号伝送方法の具体的な解決策をさらに提供し、すなわち、ステップ３０４または３０５が追加される。図１１に示されたように、信号伝送方法は以下をさらに含む。
【０１１９】
３０４．ワイヤレスアクセスノードが、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理制御チャネルのダウンリンク制御情報を送信する。
【０１２０】
第１のキャリアの物理ダウンリンク制御チャネルと第２のキャリアの物理ダウンリンク制御チャネルとの間の相互干渉を回避するために、クロスキャリアスケジューリング技術が使用される。
【０１２１】
３０５．ワイヤレスアクセスノードが、クロスキャリアスケジューリング技術を使用することにより、第３のキャリアの物理ダウンリンク制御チャネル上で、第１のキャリアまたは第２のキャリアのダウンリンク制御情報を伝送する。
【０１２２】
図１１ａに示されたように、第３のキャリアおよび第１のキャリアは重複せず、第３のキャリアおよび第２のキャリアは重複しない。任意選択で、第３のキャリアは１次キャリアであり、第１のキャリアと第２のキャリアの両方は、第３のキャリアに対応する２次キャリアであり得る。たとえば、図１１ｂに示されたように、２次キャリア１と２次キャリア２の両方は、１次キャリアに対応する２次キャリアであり、２次キャリア１のスペクトルおよび２次キャリア２のスペクトルは重複する。あるいは、第３のキャリアは１次キャリアであり、第１のキャリアは１次キャリアであり、第２のキャリアは第３のキャリアに対応する２次キャリアである。たとえば、図１１ｃに示されたように、２次キャリア１は１次キャリア１に対応する２次キャリアであり、１次キャリア２のスペクトルおよび２次キャリア１のスペクトルは重複する。
【０１２３】
任意選択で、第１のキャリア、第２のキャリア、および第３のキャリアは、同じ通信規格に属する。たとえば、第１のキャリア、第２のキャリア、および第３のキャリアは、ＬＴＥシステム内のキャリアである。あるいは、第１のキャリア、第２のキャリア、および第３のキャリアは、異なる通信規格に属する。たとえば、第１のキャリアはＬＴＥシステム内のキャリアであり、第２のキャリアはＧＳＭ通信システム内のキャリアであり、第３のキャリアはＷｉＦｉ（ＷＩｒｅｌｅｓｓ−Ｆｉｄｅｌｉｔｙ、ワイヤレスフィデリティ）通信システム内のキャリアである。あるいは、第１のキャリア、第２のキャリア、および第３のキャリアの中の任意の２つのキャリアは同じ通信規格に属し、別のキャリアと任意の２つのキャリアは異なる通信規格に属する。たとえば、第１のキャリと第２のキャリアの両方はＬＴＥシステム内のキャリアであり、第３のキャリアはＧＳＭ通信システム内のキャリアである。別の例を挙げると、第１のキャリアと第３のキャリアの両方はＬＴＥシステム内のキャリアであり、第２のキャリアはＧＳＭ通信システム内のキャリアである。
【０１２４】
加えて、従来技術では、異なる通信規格における通信システムは、しばしば共有スペクトルを共有する。図１２ａに示されたように、通信システムＡに属するキャリア１のスペクトルおよび通信システムＢに属するキャリア２のスペクトルは重複し、キャリア１はキャリア２に対する大きい干渉を引き起こす。共有スペクトルを共有する異なる通信システム内のキャリア間の干渉を除去するために、この実施形態は、共有スペクトル上のキャリアの構成の中にさらに適用されることがあり、第３のキャリアの位置は、スペクトル上に構成された第１のキャリアおよび第２のキャリアの特定の位置に従って、共有スペクトル上に構成される。
【０１２５】
第１のキャリアおよび第２のキャリアが属する通信システムの負荷変動は周期的に取得されることがあり、スペクトル上の第１のキャリアおよび第２のキャリアの特定の位置、ならびに第１のキャリアと第２のキャリアとの間の重複部分は、負荷変動に従って調整される。同様に、スペクトル上の第１のキャリアおよび第２のキャリアの特定の位置は周期的に取得され、共有スペクトル上の第３のキャリアの位置は、第３のキャリアを構成するために特定の位置に従って決定される。負荷変動を取得するための周期ならびに第１のキャリアおよび第２のキャリアの特定の位置を取得するための周期は、分レベルから時間レベルにあり得ることに留意されたい。
【０１２６】
たとえば、図１２ｂに示されたように、キャリア１およびキャリア２は通信システムＡに属し、キャリア３は通信システムＢに属する。Ｔ１モーメントにおいて、キャリア１のスペクトルおよびキャリア２のスペクトルは部分的に重複し、キャリア２は共有スペクトルの一部を占有する。したがって、キャリア３によって占有されることができる共有スペクトルは、スペクトル上の第１のキャリアおよび第２のキャリアの特定の位置に従って決定され、キャリア３はスペクトル上で構成され、それによって、異なる通信規格における通信システム内のキャリア間の相互干渉を回避する。Ｔ２モーメントにおいて、キャリア２はすべての共有スペクトルを占有し、キャリア３は共有スペクトルから削除され、それによって、異なる通信規格における通信システム内のキャリア間の相互干渉を回避する。
【０１２７】
重複していない第１のキャリアおよび第２のキャリアは、スペクトル上でさらに構成されてよいことに留意されたい。この場合、第１のキャリアは１次キャリアであり、第２のキャリアは２次キャリアである。共有スペクトル上の第３のキャリアの特定の位置は、共有スペクトル上の第２のキャリア、すなわち２次キャリアを設定することによって調整される。たとえば、図１２ｃに示されたように、ＬＴＥシステムのキャリアおよびＧＳＭシステムのキャリアが図１２ｃに存在する。図１２ｃの（１）、（２）、および（３）に示されたように、ＬＴＥ規格幅の２次キャリアは共有スペクトル上に構成されることがある。ＬＴＥ規格幅のキャリアの帯域幅には、１．４ＭＨｚ、３ＭＨｚ、５ＭＨｚ、１０ＭＨｚ、１５ＭＨｚ、２０ＭＨｚなどが含まれる。図１２ｃの（４）に示されたように、ＬＴＥ規格幅の複数の２次キャリアは、共有スペクトル、たとえば、３ＭＨｚ＋５ＭＨｚ＝８ＭＨｚの２次キャリア上に構成されることがある。図１２ｃの（５）に示されたように、非ＬＴＥ規格幅の２次キャリアは、共有スペクトル、たとえば、ＸＭＨｚの２次キャリア上にさらに構成されることがあり、ここでＸは正数である。ＬＴＥシステム内の２次キャリアによって占有されない周波数帯域は、ＧＳＭシステム内のキャリアを構成するために使用されることができる。
【０１２８】
本発明のこの実施形態において提供された信号伝送方法によれば、構成情報が取得されることができ、構成情報に従って第２のキャリアの信号が伝送される。構成情報は、第１のキャリアのカバレージ空間内で第２のキャリアの信号を伝送するためにワイヤレスアクセスノードによって使用される。第１のキャリアによって占有されるスペクトルおよび第２のキャリアによって占有されるスペクトルは重複し、第１のキャリアのサブキャリアおよび第２のキャリアのサブキャリアは直交する。複数のキャリアが重複しないようにスペクトル上で連続的に構成される従来技術と比較して、本発明では、第２のキャリアの信号は第１のキャリアのカバレージ空間内で伝送され、第１のキャリアによって占有されるスペクトルおよび第２のキャリアによって占有されるスペクトルは重複し、第１のキャリアのサブキャリアおよび第２のキャリアのサブキャリアは直交し、それによって第１のキャリアと第２のキャリアとの間の干渉を回避する。第１のキャリアによって占有されるスペクトルおよび第２のキャリアによって占有されるスペクトルが重複するので、第１のキャリアおよび第２のキャリアを含む複数のキャリアによって占有されるスペクトルの総帯域幅は、第１のキャリアと第２のキャリアとの間で重複するスペクトルの帯域幅を調整することによって調整されることがあり、その結果、限定されたスペクトルリソース上で適切な数のキャリアが構成されることができ、それによって、スペクトル上の未使用の周波数帯域をなくし、スペクトルを完全に使用し、スペクトルリソース利用率を改善する。加えて、キャリアのダウンリンク制御情報は、クロスキャリアスケジューリング技術を使用することにより、別のキャリアのダウンリンク制御チャネル上で送信されることができ、それによって、キャリアのダウンリンク制御チャネルの低減された伝送電力によって引き起こされる、ダウンリンク制御情報が送信されることができない状況を回避する。加えて、異なる通信規格における通信システム内にあり、共有スペクトル上に構成されるキャリアの位置を決定するために、共有スペクトル上の２つのキャリアの特定の位置が調整される。したがって、異なる通信規格における通信システム内の複数のキャリア間の干渉の周波数領域内の拡散は回避され、共有スペクトル上の異なる通信規格における通信システムの通信性能は改善される。
【０１２９】
本明細書内の実施形態は、すべて順次方式で記載され、実施形態内の同じまたは同様の部分について、これらの実施形態に対して参照が行われることがあり、各実施形態は他の実施形態との差異に焦点を当てる。特に、装置実施形態は、方法実施形態と基本的に同様であり、したがって簡単に記載され、関係する部分については、方法実施形態内の部分説明を参照されたい。
【図１ａ】
2017536769.tif 000003
【図１ｂ】
2017536769.tif 000004
【図１ｃ】
2017536769.tif 000005
【図２】
2017536769.tif 000006
【図３】
2017536769.tif 000007
【図４】
2017536769.tif 000008
【図５】
2017536769.tif 000009
【図６】
2017536769.tif 000010
【図６ａ】
2017536769.tif 000011
【図６ｂ】
2017536769.tif 000012
【図６ｃ】
2017536769.tif 000013
【図６ｄ】
2017536769.tif 000014
【図７ａ】
2017536769.tif 000015
【図７ｂ】
2017536769.tif 000016
【図７ｃ】
2017536769.tif 000017
【図７ｅ】
2017536769.tif 000018
【図７ｆ】
2017536769.tif 000019
【図８ａ】
2017536769.tif 000020
【図８ｂ】
2017536769.tif 000021
【図８ｃ】
2017536769.tif 000022
【図８ｄ】
2017536769.tif 000023
【図８ｅ】
2017536769.tif 000024
【図８ｆ】
2017536769.tif 000025
【図８ｇ】
2017536769.tif 000026
【図８ｈ】
2017536769.tif 000027
【図８ｉ】
2017536769.tif 000028
【図９ａ】
2017536769.tif 000029
【図９ｂ】
2017536769.tif 000030
【図９ｃ】
2017536769.tif 000031
【図１０】
2017536769.tif 000032
【図１１】
2017536769.tif 000033
【図１１ａ】
2017536769.tif 000034
【図１１ｂ】
2017536769.tif 000035
【図１１ｃ】
2017536769.tif 000036
【図１２ａ】
2017536769.tif 000037
【図１２ｂ】
2017536769.tif 000038
【図１２ｃ】
2017536769.tif 000039
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
構成情報を取得するように構成された取得モジュールであって、前記構成情報は第１のキャリアのカバレージ空間内で第２のキャリアの信号を伝送するために使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交する、取得モジュールと、
前記構成情報に従って前記第２のキャリアの前記信号を伝送するように構成された伝送モジュールと
を備えることを特徴とする信号伝送装置。
【請求項２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項１に記載の装置。
【請求項３】
前記第１のキャリアおよび前記第２のキャリアは同じ通信規格または異なる通信規格に属することを特徴とする請求項１または２に記載の装置。
【請求項４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項１乃至３のいずれか一項に記載の装置。
【請求項５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項１乃至４のいずれか一項に記載の装置。
【請求項６】
重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項１乃至４のいずれか一項に記載の装置。
【請求項７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項１に記載の装置。
【請求項８】
前記第２のキャリアの前記基本チャネルが共通パイロットチャネルであるとき、前記装置は、
前記第２のキャリアと前記第１のキャリアとの間の重複しないスペクトル上の前記第２のキャリアを使用することにより、復調基準信号を送信するように構成された送信モジュールであって、前記復調基準信号は前記第２のキャリアの前記重複しないスペクトルのデータ復調に使用される、送信モジュール
をさらに備えることを特徴とする請求項６に記載の装置。
【請求項９】
前記第１のキャリアの前記基本チャネルおよび前記第２のキャリアの前記基本チャネルが物理ダウンリンク制御チャネルであるとき、前記装置は、
クロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理ダウンリンク制御チャネルのダウンリンク制御情報を送信するように構成された第１のスケジューリングモジュール
をさらに備えることを特徴とする請求項６に記載の装置。
【請求項１０】
クロスキャリアスケジューリング技術を使用することにより、第３のキャリアの物理ダウンリンク制御チャネル上で、前記第１のキャリアまたは前記第２のキャリアのダウンリンク制御情報を伝送するように構成された第２のスケジューリングモジュール
をさらに備え、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項１に記載の装置。
【請求項１１】
ワイヤレスアクセスノードであって、前記ワイヤレスアクセスノードは少なくともネットワークインターフェースおよびプロセッサを備え、
前記ネットワークインターフェースは構成情報を取得するように構成され、前記構成情報は第１のキャリアのカバレージ空間内で第２のキャリアの信号を伝送するために前記ワイヤレスアクセスノードによって使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交し、
前記プロセッサは、前記構成情報に従って前記第２のキャリアの前記信号を伝送するように構成される
ことを特徴とするワイヤレスアクセスノード。
【請求項１２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項１１に記載のワイヤレスアクセスノード。
【請求項１３】
前記第１のキャリアおよび前記第２のキャリアは同じ通信規格または異なる通信規格に属することを特徴とする請求項１１または１２に記載のワイヤレスアクセスノード。
【請求項１４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項１１乃至１３のいずれか一項に記載のワイヤレスアクセスノード。
【請求項１５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項１１乃至１４のいずれか一項に記載のワイヤレスアクセスノード。
【請求項１６】
重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項１１乃至１４のいずれか一項に記載のワイヤレスアクセスノード。
【請求項１７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項１１に記載のワイヤレスアクセスノード。
【請求項１８】
前記第２のキャリアの前記第２の基本チャネルが共通パイロットチャネルであるとき、前記プロセッサは、前記第２のキャリアと前記第１のキャリアとの間の重複しないスペクトル上の前記第２のキャリアを使用することにより、復調基準信号を送信するように構成され、前記復調基準信号は前記第２のキャリアの前記重複しないスペクトルのデータ復調に使用されることを特徴とする請求項１６に記載のワイヤレスアクセスノード。
【請求項１９】
前記第１のキャリアの前記基本チャネルおよび前記第２のキャリアの前記基本チャネルが物理ダウンリンク制御チャネルであるとき、前記プロセッサは、クロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理ダウンリンク制御チャネルのダウンリンク制御情報を送信するように構成されることを特徴とする請求項１６に記載のワイヤレスアクセスノード。
【請求項２０】
前記プロセッサは、クロスキャリアスケジューリング技術を使用することにより、第３のキャリアの物理ダウンリンク制御チャネル上で、前記第１のキャリアまたは前記第２のキャリアのダウンリンク制御情報を伝送するように構成され、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項１１に記載のワイヤレスアクセスノード。
【請求項２１】
ワイヤレスアクセスノードによって構成情報を取得することであって、前記構成情報は第１のキャリアのカバレージ空間内で第２のキャリアの信号を伝送するために前記ワイヤレスアクセスノードによって使用され、前記第１のキャリアによって占有されるスペクトルおよび前記第２のキャリアによって占有されるスペクトルは重複し、前記第１のキャリアのサブキャリアおよび前記第２のキャリアのサブキャリアは直交する、前記構成情報を取得することと、
前記ワイヤレスアクセスノードによって前記構成情報に従って前記第２のキャリアの前記信号を伝送することと
を含むことを特徴とする信号伝送方法。
【請求項２２】
前記第１のキャリアによって占有されるスペクトルおよび前記第２のキャリアによって占有されるスペクトルが重複することは、
前記第１のキャリアによって占有される前記スペクトルおよび前記第２のキャリアによって占有される前記スペクトルが部分的に重複すること、完全に重複すること、または埋め込まれるように重複すること
を含むことを特徴とする請求項２１に記載の方法。
【請求項２３】
前記第１のキャリアおよび前記第２のキャリアは同じ通信規格または異なる通信規格に属することを特徴とする請求項２１または２２に記載の方法。
【請求項２４】
前記第１のキャリアおよび前記第２のキャリアは２つの独立したセルであるか、または
前記第１のキャリアは１次キャリアであり、前記第２のキャリアは前記第１のキャリアに対応する２次キャリアである
ことを特徴とする請求項２１乃至２３のいずれか一項に記載の方法。
【請求項２５】
前記第２のキャリアの前記信号は前記第２のキャリアの基本チャネルを搬送し、重複するスペクトル上で、前記第２のキャリアの前記基本チャネルと前記第１のキャリアの基本チャネルとの間で時分割多重化または周波数分割多重化が実施され、前記時分割多重化または前記周波数分割多重化は、時間単位または周波数単位内の前記第１のキャリアまたは前記第２のキャリアに対応し、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備えることを特徴とする請求項２１乃至２４のいずれか一項に記載の方法。
【請求項２６】
重複するスペクトル上で、前記第１のキャリアの基本チャネルと前記第２のキャリアの基本チャネルとの間で周波数分割多重化または時分割多重化が実施されることができないとき、前記第１のキャリアの第１の基本チャネルおよび前記第２のキャリアの第２の基本チャネルを重複させるために、前記第１のキャリアのサブフレーム開始モーメントおよび前記第２のキャリアのサブフレーム開始モーメントは特定の時間単位の間相殺され、前記重複するスペクトル上の前記第２のキャリアの前記第２の基本チャネルの伝送電力は、あらかじめ設定されたしきい値よりも小さくなるように、もしくは０になるように低減されるか、または前記重複するスペクトル上の前記第１のキャリアの前記第１の基本チャネルの伝送電力は、あらかじめ設定されたしきい値よりも小さくなるように、もしくは０になるように低減され、前記第２のキャリアの前記基本チャネルと前記第１のキャリアの前記基本チャネルの両方は、共通チャネル、共通制御チャネル、専用制御チャネル、共有チャネル、およびランダムアクセスチャネルのうちの少なくとも１つを備え、前記第１のキャリアの前記第１の基本チャネルは前記第１のキャリアの基本チャネルのうちの１つであり、前記第２のキャリアの前記第２の基本チャネルは前記第２のキャリアの基本チャネルのうちの１つであり、前記第１の基本チャネルおよび前記第２の基本チャネルは異なるタイプのチャネルであることを特徴とする請求項２１乃至２４のいずれか一項に記載の方法。
【請求項２７】
前記第１のキャリアによって占有されるスペクトルおよび前記第２のキャリアによって占有されるスペクトルが重複することは、
前記第１のキャリアによって占有される前記スペクトルの保護帯域および前記第２のキャリアによって占有される前記スペクトルの保護帯域が重複すること、または前記第１のキャリアによって占有される前記スペクトルの保護帯域および前記第２のキャリアの基本チャネルが重複すること、または前記第２のキャリアによって占有される前記スペクトルの保護帯域および前記第１のキャリアの基本チャネルが重複すること
を含むことを特徴とする請求項２１に記載の方法。
【請求項２８】
前記第２のキャリアの前記基本チャネルが共通パイロットチャネルであるとき、前記方法は、
前記ワイヤレスアクセスノードによって前記第２のキャリアと前記第１のキャリアとの間の重複しないスペクトル上の前記第２のキャリアを使用することにより、復調基準信号を送信することであって、前記復調基準信号は前記第２のキャリアの前記重複しないスペクトルのデータ復調に使用されること、をさらに含むことを特徴とする請求項２６に記載の方法。
【請求項２９】
前記第１のキャリアの前記基本チャネルおよび前記第２のキャリアの前記基本チャネルが物理ダウンリンク制御チャネルであるとき、前記方法は、
前記ワイヤレスアクセスノードによってクロスキャリアスケジューリング技術を使用することにより、前記第１のキャリアの物理ダウンリンク制御チャネル上で、前記第２のキャリアの物理ダウンリンク制御チャネルのダウンリンク制御情報を送信するか、または前記第２のキャリアの物理ダウンリンク制御チャネル上で、前記第１のキャリアの物理ダウンリンク制御チャネルのダウンリンク制御情報を送信するステップ
をさらに含むことを特徴とする請求項２６に記載の方法。
方法。
【請求項３０】
前記ワイヤレスアクセスノードによってクロスキャリアスケジューリング技術を使用することにより、第３のキャリアの物理ダウンリンク制御チャネル上で、前記第１のキャリアまたは前記第２のキャリアのダウンリンク制御情報を伝送すること
をさらに含み、
前記第３のキャリアおよび前記第１のキャリアは重複せず、前記第３のキャリアおよび前記第２のキャリアは重複せず、前記第３のキャリアは１次キャリアであり、前記第１のキャリアと前記第２のキャリアの両方は前記第３のキャリアに対応する２次キャリアであるか、または前記第３のキャリアは１次キャリアであり、前記第１のキャリアは１次キャリアであり、前記第２のキャリアは前記第３のキャリアに対応する２次キャリアである
ことを特徴とする請求項２１に記載の方法。
【手続補正２】
【補正対象書類名】明細書
【補正対象項目名】００１２
【補正方法】変更
【補正の内容】
【００１２】
第１の態様の第５の可能な実装方式を参照して、第８の可能な実装方式では、第１のキャリアの基本チャネルおよび第２のキャリアの基本チャネルが物理ダウンリンク制御チャネルであるとき、装置は、
クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信するように構成された第１のスケジューリングモジュール
をさらに含む。
【手続補正３】
【補正対象書類名】明細書
【補正対象項目名】００２２
【補正方法】変更
【補正の内容】
【００２２】
第２の態様の第５の可能な実装方式を参照して、第８の可能な実装方式では、第１のキャリアの基本チャネルおよび第２のキャリアの基本チャネルが物理ダウンリンク制御チャネルであるとき、プロセッサは、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信するように構成される。
【手続補正４】
【補正対象書類名】明細書
【補正対象項目名】００３２
【補正方法】変更
【補正の内容】
【００３２】
第３の態様の第５の可能な実装方式を参照して、第８の可能な実装方式では、第１のキャリアの基本チャネルおよび第２のキャリアの基本チャネルが物理ダウンリンク制御チャネルであるとき、方法は、
ワイヤレスアクセスノードによってクロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信すること
をさらに含む。
【手続補正５】
【補正対象書類名】明細書
【補正対象項目名】００３６
【補正方法】変更
【補正の内容】
【００３６】
以下で、本発明の実施形態における添付図面を参照して、本発明の実施形態における技術的解決策を記載する。明らかに、記載される実施形態は、本発明の実施形態のうちのいくつかにすぎず、すべてではない。創造的な努力なしに、本発明の実施形態に基づいて当業者によって取得されるすべての他の実施形態は、本発明の保護範囲内に入るべきである。
【手続補正６】
【補正対象書類名】明細書
【補正対象項目名】００３８
【補正方法】変更
【補正の内容】
【００３８】
本発明の実施形態において提供される技術的解決策は、複数のキャリアの総帯域幅がスペクトルの帯域幅よりも大きいシナリオ内で適用されてよい。本発明の実施形態におけるキャリアは、様々な通信システムにおいて定義されたキャリアであり得る。通信規格によれば、様々な通信システムには、ロングタームエボリューション（ＬＴＥ、Ｌｏｎｇ  Ｔｅｒｍ  Ｅｖｏｌｕｔｉｏｎ）システム、モバイル通信用グローバルシステム（ＧＳＭ（登録商標）、Ｇｌｏｂａｌ  Ｓｙｓｔｅｍ  ｆｏｒ  Ｍｏｂｉｌｅ  ｃｏｍｍｕｎｉｃａｔｉｏｎｓ）、ユニバーサルモバイルテレコミュニケーションシステム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ワイヤレスフィデリティ（ｗｉｒｅｌｅｓｓ  ｆｉｄｅｌｉｔｙ、ＷｉＦｉ）技術を使用するワイヤレスローカルエリアネットワーク（ｗｉｒｅｌｅｓｓ  ｌｏｃａｌ  ａｒｅａ ｎｅｔｗｏｒｋ、ＷＬＡＮ）システムなどが含まれる。本発明の実施形態におけるスペクトルは、通信規格における通信システム専用のスペクトルであり得るか、または異なる通信規格における通信システムによって共有されるスペクトルであり得る。
【手続補正７】
【補正対象書類名】明細書
【補正対象項目名】００５７
【補正方法】変更
【補正の内容】
【００５７】
任意選択で、第１のキャリアの基本チャネルおよび第２のキャリアの基本チャネルが物理ダウンリンク制御チャネルであるとき、図４に示されたように、装置１００は、
クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信するように構成された第１のスケジューリングモジュール１０４と、
クロスキャリアスケジューリング技術を使用することにより、第３のキャリアの物理ダウンリンク制御チャネル上で、第１のキャリアまたは第２のキャリアのダウンリンク制御情報を伝送するように構成された第２のスケジューリングモジュール１０５と
をさらに含む。
【手続補正８】
【補正対象書類名】明細書
【補正対象項目名】００６０
【補正方法】変更
【補正の内容】
【００６０】
本発明の実施形態は、ワイヤレスアクセスノード２００をさらに含む。図５に示されたように、ワイヤレスアクセスノード２００は、少なくとも１つのプロセッサ２０１、たとえばＣＰＵ、少なくとも１つのネットワークインターフェース２０２または別のユーザインターフェース２０３、メモリ２０４、および少なくとも１つの通信バス２０５を含む。通信バス２０５は、構成要素間の接続および通信を実装するように構成される。任意選択で、ワイヤレスアクセスノード２００は、ディスプレイ、および入力デバイス（たとえば、マウス、トラックボール（ｔｒａｃｋｂａｌｌ）、タッチパッド、またはタッチスクリーン）をさらに含む。メモリ２０４は、高速ＲＡＭ（Ｒａｎｄｏｍ−Ａｃｃｅｓｓ  Ｍｅｍｏｒｙ、ランダムアクセスメモリ）を含むことがあり、不揮発性メモリ（ｎｏｎ−ｖｏｌａｔｉｌｅ  ｍｅｍｏｒｙ）、たとえば少なくとも１つのディスクメモリをさらに含むことがある。任意選択で、メモリ２０４は、プロセッサ２０１から離れた少なくとも１つの記憶装置を含むことがある。
【手続補正９】
【補正対象書類名】明細書
【補正対象項目名】００７２
【補正方法】変更
【補正の内容】
【００７２】
任意選択で、第１のキャリアの基本チャネルおよび第２のキャリアの基本チャネルが物理ダウンリンク制御チャネルであるとき、プロセッサは、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信するように構成される。
【手続補正１０】
【補正対象書類名】明細書
【補正対象項目名】００８６
【補正方法】変更
【補正の内容】
【００８６】
加えて、図７ｅに示されたように、ＬＴＥシステム内のキャリアが保護帯域を有するので、ＬＴＥシステム内の２つのキャリアによって占有されるスペクトルが重複するとき、形式的な重複エリアは実際の重複エリアよりも大きいことにさらに留意されたい。形式的な重複エリアは、重複する保護帯域によって占有されるスペクトルを含み、実際の重複エリアは、重複する保護帯域によって占有されるスペクトルを含まない。この場合、２つのキャリアによって占有されるスペクトルは、部分的に重複しているか、完全に重複しているか、または埋め込まれるように重複しており、その結果、２つのキャリアによって占有される総帯域幅上にあり、基本チャネルを送信しない部分は低減され、スペクトルリソース利用率はさらに改善される。図７ｆに示されたように、従来技術では、ＬＴＥシステム内の２つのキャリアによって占有されるスペクトル上で、４つの保護帯域によって占有されるスペクトル上の伝送電力は０である。図７ｅに示されたように、本発明では、形式的な重複エリアは、実際の重複エリアと比較すると、さらに２つの保護帯域によって占有されるスペクトルを含む。４つの保護帯域の中の２つの保護帯域は、２つのキャリア間の重複部分の中で使用される。基本チャネルは、２つの保護帯域によって占有されるスペクトル上で適切に送信されることができ、その結果、ＬＴＥシステム内の２つのキャリアによって占有されるスペクトル上で、２つのみの保護帯域によって占有されるスペクトル上の伝送電力は０である。したがって、ＬＴＥシステム内のキャリアのスペクトルリソース利用率はさらに改善される。
【手続補正１１】
【補正対象書類名】明細書
【補正対象項目名】００９２
【補正方法】変更
【補正の内容】
【００９２】
第２のキャリアの基本チャネルと第１のキャリアの基本チャネルの両方は、共通チャネル（ＣＣＨ、Ｃｏｍｍｏｎ  Ｃｈａｎｎｅｌ）、共通制御チャネル、専用制御チャネル、共有チャネル、およびランダムアクセスチャネルのうちの少なくとも１つを含む。例としてＬＴＥシステムが使用される。共通チャネルには、１次同期チャネル、２次同期チャネル、物理ブロードキャストチャネル（ＰＢＣＨ、Ｐｈｙｓｉｃａｌ  Ｂｒｏａｄｃａｓｔ  Ｃｈａｎｎｅｌ）、セル固有基準信号（ＣＲＳ、Ｃｅｌｌ−ｓｐｅｃｉｆｉｃ Ｒｅｆｅｒｅｎｃｅ Ｓｉｇｎａｌ）などが含まれ、セル固有基準信号は共通パイロットチャネルである。共通制御チャネルには、物理制御フォーマットインジケータチャネル（ＰＣＦＩＣＨ、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）および物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）が含まれる。専用制御チャネルには、物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）および物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）が含まれる。共有チャネルには、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ、Ｐｈｙｓｉｃａｌ  Ｍｕｌｔｉｃａｓｔ  Ｃｈａｎｎｅｌ）、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）などが含まれる。基本チャネルは、限定はしないが、上記の共通チャネル、共通制御チャネル、専用制御チャネル、共有チャネル、またはランダムアクセスチャネルを含むことに留意されたい。
【手続補正１２】
【補正対象書類名】明細書
【補正対象項目名】００９８
【補正方法】変更
【補正の内容】
【００９８】
任意選択で、基本チャネルが共通チャネルであるとき、キャリアの共通チャネルは時間領域内で連続して送信される代わりに固定時間に送信される。たとえば、ＬＴＥシステム内のキャリアの場合、共通チャネルは各無線フレームの１番目および１１番目のタイムスロットの最後の２シンボル上で送信される。別の例を挙げると、ＭＩＢ（Ｍａｓｔｅｒ  Ｉｎｆｏｒｍａｔｉｏｎ  Ｂｌｏｃｋ、マスタ情報ブロック）は、各無線フレームの１番目のタイムスロット内で送信される。第１のキャリアによって占有されるスペクトルおよび第２のキャリアによって占有されるスペクトル、ならびに２つのキャリアの共通チャネルによって占有されるスペクトルも重複すると、２つのキャリアの無線フレームは一定数のシンボルまたはタイムスロットの間外れることがあり、その結果、２つのキャリアが共通チャネルを送信する時間は外れ、すなわち、重複するスペクトル上で時分割多重化が実施される。１つのキャリアが共通チャネルを送信すると、他のキャリアはＲＥ（Ｒｅｓｏｕｒｃｅ  Ｅｌｅｍｅｎｔ、リソース要素）を送信しないことに留意されたい。具体的には、１つのキャリアが共通チャネルを送信すると、他のキャリアは使用するためにＰＲＢ（Ｐｈｙｓｉｃａｌ  Ｒｅｓｏｕｒｃｅ  Ｂｌｏｃｋ、物理リソースブロック）をスケジュールしないように制御されることがあるか、または１つのキャリアが共通チャネルを送信すると、キャリア制御デバイスは、使用するためにＰＲＢをスケジュールするが、リソース要素上で電力を送信しないように他のキャリアを制御し、それによって、共通チャネルに対するリソース要素の干渉を回避する。
【手続補正１３】
【補正対象書類名】明細書
【補正対象項目名】０１０３
【補正方法】変更
【補正の内容】
【０１０３】
ｄ．基本チャネルが物理ダウンリンク共有チャネルであるとき、第１のキャリアは基本キャリアとして使用され、第１のキャリアは物理ダウンリンク共有チャネルを適切に送信する。第２のキャリアの共通チャネルによって占有されるスペクトルおよび第１のキャリアによって占有されるスペクトルが重複しないとき、第２のキャリアは、第２のキャリアと第１のキャリアとの間の重複するスペクトルおよび第２のキャリアの共通チャネルのスペクトル上で物理ダウンリンク共有チャネルを送信せず、第２のキャリアは、第２のキャリアの共通チャネルによって占有されるスペクトル以外の第２のキャリアと第１のキャリアとの間の非重複部分上で物理ダウンリンク共有チャネルを送信する。たとえば、図８ｈに示されたように、キャリアＢの共通チャネルによって占有されるスペクトルおよびキャリアＡによって占有されるスペクトルは重複しない。キャリアＡは物理ダウンリンク共有チャネルを適切に送信し、キャリアＢは、キャリアＡとキャリアＢとの間の重複部分上で物理ダウンリンク共有チャネルを送信しない。キャリアＢは、キャリアＢの共通チャネルによって占有されるスペクトル以外のキャリアＡとキャリアＢとの間の非重複部分上で物理ダウンリンク共有チャネルを送信する。
【手続補正１４】
【補正対象書類名】明細書
【補正対象項目名】０１１９
【補正方法】変更
【補正の内容】
【０１１９】
３０４．ワイヤレスアクセスノードが、クロスキャリアスケジューリング技術を使用することにより、第１のキャリアの物理ダウンリンク制御チャネル上で、第２のキャリアの物理ダウンリンク制御チャネルのダウンリンク制御情報を送信するか、または第２のキャリアの物理ダウンリンク制御チャネル上で、第１のキャリアの物理ダウンリンク制御チャネルのダウンリンク制御情報を送信する。
【手続補正１５】
【補正対象書類名】図面
【補正対象項目名】図１１
【補正方法】変更
【補正の内容】
【図１１】
2017536769.tif 000040
【国際調査報告】
2017536769.tif 000041
2017536769.tif 000042
2017536769.tif 000043
2017536769.tif 000044